(57)【要約】【課題】ユーザが視聴しなかった未視聴番組に対応するコンテンツの提供を促進する。【解決手段】履歴情報取得部は受信装置が受信した番組を示す履歴情報を取得し、コンテンツ情報取得部は通信で送信されるコンテンツのコンテンツ情報を取得し、番組判定部は所定の期間毎に放送される個別番組からなるシリーズ番組から、前記履歴情報に基づいて視聴されなかった未視聴番組と、前記未視聴番組に対応する前記コンテンツの表示情報である対応コンテンツ表示情報の出力の要否を判定する。【選択図】図２
2018011186.tif 000002
【特許請求の範囲】
【請求項１】
受信装置が受信した番組を示す履歴情報を取得する履歴情報取得部と、
通信で送信されるコンテンツのコンテンツ情報を取得するコンテンツ情報取得部と、
所定の期間毎に放送される個別番組からなるシリーズ番組から、前記履歴情報に基づいて視聴されなかった未視聴番組と、前記未視聴番組に対応する前記コンテンツの表示情報である対応コンテンツ表示情報の出力の要否を判定する番組判定部と、
を備えることを特徴とするコンテンツ推薦装置。
【請求項２】
前記番組判定部は、前記受信装置が前記シリーズ番組のいずれかの個別番組に関連するコンテンツの受信サービスを提供したとき、前記対応コンテンツ表示情報を出力すると判定する
請求項１のコンテンツ推薦装置。
【請求項３】
前記番組判定部は、前記受信装置が前記シリーズ番組のいずれかの個別番組に関連するコンテンツの受信サービスを提供したと判定するとき、前記対応コンテンツ表示情報の出力の要否判定に用いる判定データとして、前記対応コンテンツ表示情報の出力否の指示を含む判定データを、当該対応コンテンツ表示情報の出力を示す判定データに切り替える
請求項２に記載のコンテンツ推薦装置。
【請求項４】
前記番組判定部は、前記個別番組の受信頻度が高いシリーズ番組の未視聴番組ほど優先して前記対応コンテンツ表示情報を出力すると判定する
請求項１から請求項３のいずれか一項に記載のコンテンツ推薦装置。
【請求項５】
前記番組判定部は、放送終了からの期間が短い未視聴番組ほど優先して前記対応コンテンツ表示情報を出力すると判定する
請求項１から請求項４のいずれか一項に記載のコンテンツ推薦装置。
【請求項６】
推薦番組の表示情報である推薦番組表示情報と、所定の期間毎に放送される個別番組からなるシリーズ番組のうち視聴されなかった未視聴番組に対応する対応コンテンツの表示情報である対応コンテンツ表示情報を受信する通信部と、
放送される番組と通信で送信されるコンテンツを受信する機能部と、
前記推薦番組表示情報と、前記対応コンテンツ表示情報を表示部に出力し、
前記機能部に、前記推薦番組表示情報への指示に応じて前記推薦番組を受信させ、前記対応コンテンツ表示情報への指示に応じて前記対応コンテンツを受信させる制御部と、を備え、
前記通信部は、前記機能部が受信した番組を示す履歴情報をコンテンツ推薦装置に送信する
受信装置。
【請求項７】
前記シリーズ番組に前記未視聴番組が複数存在するとき、
前記制御部は、前記対応コンテンツ表示情報への指示に応じて前記シリーズ番組の各個別番組に対応する対応コンテンツの選択情報を前記表示部に出力し、
指示された選択情報に係る対応コンテンツを選択する
請求項６に記載の受信装置。
【請求項８】
コンテンツ推薦装置と受信装置とを備えるコンテンツ推薦システムであって、
前記コンテンツ推薦装置は、
前記受信装置が受信した番組を示す履歴情報を取得する履歴情報取得部と、
通信で送信されるコンテンツのコンテンツ情報を取得するコンテンツ情報取得部と、
所定の期間毎に放送される個別番組からなるシリーズ番組から、前記履歴情報に基づいて視聴されなかった未視聴番組と、前記未視聴番組に対応する対応コンテンツの表示情報である対応コンテンツ表示情報の出力の要否を判定する番組判定部と、
前記受信装置は、
推薦番組の表示情報である推薦番組表示情報と、前記対応コンテンツ表示情報を受信する通信部と、
放送される番組と通信で送信されるコンテンツを受信する機能部と、
前記推薦番組表示情報と、前記対応コンテンツ表示情報を表示部に出力し、
前記機能部に、前記推薦番組表示情報への指示に応じて前記推薦番組を受信させ、前記対応コンテンツ表示情報への指示に応じて前記対応コンテンツを受信させる制御部と、を備え、
前記通信部は、前記機能部が受信した番組を示す前記履歴情報をコンテンツ推薦装置に送信する
コンテンツ推薦システム。
【請求項９】
コンテンツ推薦装置のコンテンツ推薦方法であって、
受信装置が受信した番組を示す履歴情報を取得する履歴情報取得過程と、
通信で送信されるコンテンツのコンテンツ情報を取得するコンテンツ情報取得過程と、
所定の期間毎に放送される個別番組からなるシリーズ番組から、前記履歴情報に基づいて視聴されなかった未視聴番組と、前記未視聴番組に対応する前記コンテンツの表示情報である対応コンテンツ表示情報の出力の要否を判定する番組判定過程と、
を有するコンテンツ推薦方法。
【請求項１０】
受信装置のコンピュータに
推薦番組の表示情報である推薦番組表示情報と、所定の期間毎に放送される個別番組からなるシリーズ番組のうち視聴されなかった未視聴番組に対応する対応コンテンツの表示情報である対応コンテンツ表示情報を受信する手順と、
前記推薦番組表示情報と、前記対応コンテンツ表示情報を表示部に出力する手順と、
機能部に、前記推薦番組表示情報への指示に応じて前記推薦番組を受信させ、前記対応コンテンツ表示情報への指示に応じて前記対応コンテンツを受信させる手順と、
前記機能部が受信した番組を示す履歴情報をコンテンツ推薦装置に送信する手順と
を実行させるためのプログラム。
【発明の詳細な説明】
【技術分野】
【０００１】
本発明は、コンテンツ推薦装置、コンテンツ推薦システム、端末装置、コンテンツ推薦方法及びプログラムに関する。
【背景技術】
【０００２】
従来から、ユーザが視聴し忘れた放送番組の存在を表示する受信装置や、放送後に番組の放送内容を表すコンテンツデータを通信で提供するコンテンツ配信システムが提案されている。
【０００３】
例えば、特許文献１には、視聴した番組に基づいて視聴履歴を作成し、視聴履歴に基づいて視聴者が見たい番組を特定し、所定の時刻より過去の所定の期間における全ての番組から未視聴番組を抽出する番組受信端末について記載されている。当該番組受信端末は、未視聴番組から検索により見つかった番組を見忘れ番組として決定し、所定の時刻より未来の所定の期間における番組群に、見忘れ番組から所定の規則に基づいて特定される関連番組が存在するかどうかを判断する。そして、当該番組受信端末は、関連番組が存在する場合は、見忘れ番組が存在する旨の表示を番組表に行う。
【０００４】
また、特許文献２には、ユーザが番組を視聴しているとき、再視聴希望ボタンを操作すると、ユーザによって視聴されている番組と同一の番組がＶＯＤ（Ｖｉｄｅｏ  Ｏｎ  Ｄｅｍａｎｄ：ビデオ・オン・デマンド）コンテンツとして配信予定であるか否かを判断するテレビジョン受像機について記載されている。当該テレビジョン受像機は、配信予定である場合、このＶＯＤコンテンツの配信予定情報をディスプレイに表示し、ユーザによってメール配信登録ボタンが操作されると、操作されたメール配信登録ボタンに対応するメールアドレスをメールサーバに登録する。そして、メールサーバは、登録されたメールアドレス宛てに、ＶＯＤコンテンツの配信が近づいた旨を知らせる通知メールを配信する。
【先行技術文献】
【特許文献】
【０００５】
【特許文献１】国際公開第２０１０／０３５４０６号
【特許文献２】特開２０１２−９５１２３号公報
【発明の概要】
【発明が解決しようとする課題】
【０００６】
特許文献１に記載の番組受信端末は、見忘れ番組から所定の規則に基づいて特定され、未来に放送される関連番組が存在する場合に見忘れ番組が存在する旨の表示を行う。しかしながら、視聴者が見たいと考える番組が関連番組として再放送されるとは限らない。特許文献２に記載のテレビジョン受像機は、視聴した番組と同一のＶＯＤコンテンツの配信が近づいた旨を知らせる通知メールを受信する。そのため、過去に視聴されなかった見逃し番組について、通知メールが通知されない。
【０００７】
本発明は上記の点に鑑みてなされたものであり、ユーザが視聴しなかった未視聴番組に対応する対応コンテンツの提供を促進することができるコンテンツ推薦装置、コンテンツ推薦システム、端末装置、コンテンツ推薦方法、及びプログラムを提供する。
【課題を解決するための手段】
【０００８】
（１）本発明は上記の課題を解決するためになされたものであり、本発明の一態様は、受信装置が受信した番組を示す履歴情報を取得する履歴情報取得部と、通信で送信されるコンテンツのコンテンツ情報を取得するコンテンツ情報取得部と、所定の期間毎に放送される個別番組からなるシリーズ番組から、前記履歴情報に基づいて視聴されなかった未視聴番組と、前記未視聴番組に対応する前記コンテンツの表示情報である対応コンテンツ表示情報の出力の要否を判定する番組判定部と、を備えることを特徴とするコンテンツ推薦装置である。
【０００９】
（２）また、本発明の一態様は、上記のコンテンツ推薦装置において、前記番組判定部は、前記受信装置が前記シリーズ番組のいずれかの個別番組に関連するコンテンツの受信サービスを提供したと判定するとき、前記対応コンテンツ表示情報の出力の要否判定に用いる判定データとして、前記対応コンテンツ表示情報の出力を示す判定データを用いる。
【００１０】
（３）また、本発明の一態様は、上記のコンテンツ推薦装置において、前記番組判定部は、前記受信装置が前記シリーズ番組のいずれかの個別番組に関連するコンテンツの受信サービスを提供したと判定するとき、前記対応コンテンツ表示情報の出力の要否判定に用いる判定データとして、前記対応コンテンツ表示情報の出力否の指示を含む判定データを、当該対応コンテンツ表示情報の出力を示す判定データに切り替える。
【００１１】
（４）また、本発明の一態様は、上記のコンテンツ推薦装置において、前記番組判定部は、前記個別番組の受信頻度が高いシリーズ番組の未視聴番組ほど優先して前記対応コンテンツ表示情報を出力すると判定する。
【００１２】
（５）また、本発明の一態様は、上記のコンテンツ推薦装置において、前記番組判定部は、放送終了からの期間が短い未視聴番組ほど優先して前記対応コンテンツ表示情報を出力すると判定する。
【００１３】
（６）また、本発明の一態様は、推薦番組の表示情報である推薦番組表示情報と、所定の期間毎に放送される個別番組からなるシリーズ番組のうち視聴されなかった未視聴番組に対応する対応コンテンツの表示情報である対応コンテンツ表示情報を受信する通信部と、放送される番組と通信で送信されるコンテンツを受信する機能部と、前記推薦番組表示情報と、前記対応コンテンツ表示情報を表示部に出力し、前記機能部に、前記推薦番組表示情報への指示に応じて前記推薦番組を受信させ、前記対応コンテンツ表示情報への指示に応じて前記対応コンテンツを受信させる制御部と、を備え、前記通信部は、前記機能部が受信した番組を示す履歴情報をコンテンツ推薦装置に送信する受信装置である。
【００１４】
（７）また、本発明の一態様は、上記の端末装置において、前記シリーズ番組に前記未視聴番組が複数存在するとき、前記制御部は、前記対応コンテンツ表示情報への指示に応じて前記シリーズ番組の各個別番組に対応する対応コンテンツの選択情報を前記表示部に出力し、指示された選択情報に係る対応コンテンツを選択する。
【００１５】
（８）また、本発明の一態様は、コンテンツ推薦装置と受信装置とを備えるコンテンツ推薦システムであって、前記コンテンツ推薦装置は、前記受信装置が受信した番組を示す履歴情報を取得する履歴情報取得部と、通信で送信されるコンテンツのコンテンツ情報を取得するコンテンツ情報取得部と、所定の期間毎に放送される個別番組からなるシリーズ番組から、前記履歴情報に基づいて視聴されなかった未視聴番組と、前記未視聴番組に対応する前記コンテンツの表示情報である対応コンテンツ表示情報の出力の要否を判定する番組判定部と、前記受信装置は、推薦番組の表示情報である推薦番組表示情報と、前記対応コンテンツ表示情報を受信する通信部と、放送される番組と通信で送信されるコンテンツを受信する機能部と、前記推薦番組表示情報と、前記対応コンテンツ表示情報を表示部に出力し、前記機能部に、前記推薦番組表示情報への指示に応じて前記推薦番組を受信させ、前記対応コンテンツ表示情報への指示に応じて前記対応コンテンツを受信させる制御部と、を備え、前記通信部は、前記機能部が受信した番組を示す前記履歴情報をコンテンツ推薦装置に送信するコンテンツ推薦システムである。
【００１６】
（９）また、本発明の一態様は、コンテンツ推薦装置のコンテンツ推薦方法であって、
受信装置が受信した番組を示す履歴情報を取得する履歴情報取得過程と、通信で送信されるコンテンツのコンテンツ情報を取得するコンテンツ情報取得過程と、所定の期間毎に放送される個別番組からなるシリーズ番組から、前記履歴情報に基づいて視聴されなかった未視聴番組と、前記未視聴番組に対応する前記コンテンツの表示情報である対応コンテンツ表示情報の出力の要否を判定する番組判定過程と、を有するコンテンツ推薦方法である。
【００１７】
（１０）また、本発明の一態様は、受信装置のコンピュータに推薦番組の表示情報である推薦番組表示情報と、所定の期間毎に放送される個別番組からなるシリーズ番組のうち視聴されなかった未視聴番組に対応する対応コンテンツの表示情報である対応コンテンツ表示情報を受信する手順と、前記推薦番組表示情報と、前記対応コンテンツ表示情報を表示部に出力する手順と、機能部に、前記推薦番組表示情報への指示に応じて前記推薦番組を受信させ、前記対応コンテンツ表示情報への指示に応じて前記対応コンテンツを受信させる手順と、前記機能部が受信した番組を示す履歴情報をコンテンツ推薦装置に送信する手順と、を実行させるためのプログラムである。
【発明の効果】
【００１８】
本発明によれば、ユーザに視聴されなかった未視聴番組に対応するコンテンツの提供を促進することができる。
【図面の簡単な説明】
【００１９】
【図１】第１の実施形態に係るコンテンツ推薦システム全体の構成例を示す図である。
【図２】第１の実施形態に係るコンテンツ推薦システムの機能構成の一例を示す概略ブロック図である。
【図３】第１の実施形態に係る判定データの一例を示す図である。
【図４】第１の実施形態に係る視聴パターンの例を示す図である。
【図５】第１の実施形態に係る判定データの他の例を示す図である。
【図６】第１の実施形態に係る見逃し番組コンテンツリストの一例を示す図である。
【図７】第１の実施形態に係るユーザ情報の一例を示す図である。
【図８】第１の実施形態に係る個別番組の番組情報の一例を示す図である。
【図９】第１の実施形態に係る番組視聴履歴の一例を示す。
【図１０】第１の実施形態に係るカード型画像の一表示例を示す図である。
【図１１】第１の実施形態に係る番組視聴履歴の他の例を示す。
【図１２】第１の実施形態に係るカード型画像の他の表示例を示す図である。
【図１３】第２の実施形態に係る表示部における画面遷移の例を示す図である。
【発明を実施するための形態】
【００２０】
（第１の実施形態）
以下、図面を参照しながら本発明の第１の実施形態について詳しく説明する。
図１は、本実施形態に係るコンテンツ推薦システム全体の構成例を示す図である。
コンテンツ推薦システムＳ１は、レコメンドサーバ１と、カード生成サーバ２と、テレビジョン受信機３と、ユーザ管理サーバ４と、履歴集積サーバ５と、番組集積サーバ６と、ＶＯＤ（ＶＯＤ：Ｖｉｄｅｏ  Ｏｎ  Ｄｅｍａｎｄ、ビデオ・オン・デマンド）コンテンツ集積サーバ７と、ランキングサーバ８と、ＶＯＤコンテンツサーバ９と、配信サーバ１０と、ＳＴＢ（Ｓｅｔ  Ｔｏｐ  Ｂｏｘ：セットトップボックス）１１と、携帯端末装置１２と、を含んで構成される。図１に示す例では、テレビジョン受信機３、ＳＴＢ１１及び携帯端末装置１２の個数は各１個であるが、一般には複数である。また、テレビジョン受信機３及び携帯端末装置１２は、ＳＴＢ１１と同一の機能構成を有してもよい。コンテンツ推薦システムＳ１の少なくともテレビジョン受信機３、ＳＴＢ１１及び携帯端末装置１２のいずれかの機器が含まれていれば、その残りの機器が省略されてもよい。以下の説明では、テレビジョン受信機３、ＳＴＢ１１及び携帯端末装置１２を受信装置２０（図２）と総称する。
【００２１】
レコメンドサーバ１、カード生成サーバ２、テレビジョン受信機３、ユーザ管理サーバ４、履歴集積サーバ５、番組集積サーバ６、ＶＯＤコンテンツ集積サーバ７、ランキングサーバ８、ＶＯＤコンテンツサーバ９、配信サーバ１０、ＳＴＢ１１及び携帯端末装置１２とは、各々ネットワークＮＷに接続され、相互に各種のデータを無線又は有線で送受信することができる。ネットワークＮＷは、例えば、インターネット、公衆無線通信網などの広域通信網（ＷＡＮ：Ｗｉｄｅ  Ａｒｅａ  Ｎｅｔｗｏｒｋ）、構内通信網（ＬＡＮ：Ｌｏｃａｌ  Ａｒｅａ  Ｎｅｔｗｏｒｋ）、仮想私設通信網（ＶＰＮ：Ｖｉｒｔｕａｌ  Ｐｒｉｖａｔｅ  Ｎｅｔｗｏｒｋ）などのいずれか、又はこれらの組み合わせを含んで構成される双方向に通信可能な情報通信網である。
【００２２】
レコメンドサーバ１は、受信装置２０において推薦する時間帯において送信予定又は送信可能なコンテンツのコンテンツ情報を取得し、取得したコンテンツ情報から推薦コンテンツを定めるコンテンツ推薦装置である。推薦コンテンツは、推薦対象のコンテンツであり、レコメンドコンテンツとも呼ばれる。コンテンツは、映像、音声、テキストなどのいずれか、又はそれらの組み合わせであり、それ自体がサービス又は取引の対象となる情報である。提供先となるユーザは、不特定多数のユーザであってもよいし、コンテンツプロバイダや放送局などと所定の契約を締結した特定のユーザであってもよい。サービス又は取引に係る対価は、有償、無償を問わない。コンテンツには、例えば、テレビジョン放送番組、ＶＯＤコンテンツ、広告映像、楽曲、などがある。以下の説明では、コンテンツが、主にテレビジョン放送番組ならびにＶＯＤコンテンツである場合を主とする。また、テレビジョン放送番組を単に番組と呼ぶ。サービスの提供形態として、その時点（現在）においてテレビジョン放送で提供される番組を受信することを「放送」と呼ぶ。その時点よりも未来に放送される番組の受信を予約すること（視聴予約）と、受信した番組の録画を予約すること（録画予約）を「予約」と総称する。その時点において通信で送信可能なコンテンツを要求に応じて受信することを「ＶＯＤ」と呼ぶ。ＶＯＤについては、コンテンツを表すコンテンツデータの配信方式を問わない。例えば、ファイル送信、ストリーミングのいずれでもよい。
【００２３】
レコメンドサーバ１は、番組集積サーバ６から番組情報を、ＶＯＤコンテンツ集積サーバ７から対応コンテンツ情報ならびにＶＯＤコンテンツ情報をそれぞれ取得する。レコメンドサーバ１は、受信装置２０の機器ＩＤ毎の番組視聴履歴、ＶＯＤ視聴履歴及び操作履歴を履歴集積サーバ５から取得する。レコメンドサーバ１は、ユーザ管理サーバ４からユーザ情報を取得し、取得したユーザ情報を参照して機器ＩＤ毎の番組視聴履歴、ＶＯＤ視聴履歴及び操作履歴を各ユーザのユーザＩＤ毎に集約する。ここで、「視聴」とは、受信装置２０において、コンテンツの映像等を示すコンテンツデータを受信することを意味する。「視聴」とは、受信したコンテンツデータを表示部２２２（後述）に出力することと、受信装置２０の記憶部（図示せず）に記録（録画）することのいずれか一方又は両方の意味を含む。
【００２４】
レコメンドサーバ１は、取得した番組情報からシリーズ番組を特定する。シリーズ番組とは、所定の期間毎に放送される個別番組からなる一連の番組である。個別番組とは、放送される各１回の番組を意味する。同一のシリーズ番組に属する複数の個別番組間では、番組名、放送局名もしくはチャンネルなどの要件が共通している。レコメンドサーバ１は、ユーザＩＤで指示されるユーザ毎に、そのユーザに対応する受信装置２０の番組視聴履歴に基づいて、受信装置２０が受信したことがあるシリーズ番組のうち、ユーザに視聴されていない未視聴番組を判定する。未視聴番組には、受信装置２０のユーザが視聴する意思があるにも関わらず、視聴されない番組、いわゆる、見逃し番組が含まれる。見逃し番組は、見忘れ番組とも呼ばれる。レコメンドサーバ１は、番組視聴履歴に基づいて未視聴番組に対応する対応コンテンツに関する情報について、表示部２２２への出力の要否を判定する。対応コンテンツは、個別番組、特に未視聴番組と同一の映像を含んで構成されるＶＯＤコンテンツである。レコメンドサーバ１は、取得したＶＯＤコンテンツ情報から、出力すると判定した対応コンテンツ情報を選択する。レコメンドサーバ１は、選択した対応コンテンツ情報に基づいて、その対応コンテンツの情報を示す対応コンテンツ表示情報を生成する。
【００２５】
また、レコメンドサーバ１は、番組視聴履歴を参照して、各受信装置２０において視聴した番組の番組情報から推薦番組を示す推薦番組情報を抽出する。レコメンドサーバ１は、ＶＯＤ視聴履歴を参照して、各ユーザが視聴したＶＯＤコンテンツのＶＯＤコンテンツ情報から推薦ＶＯＤコンテンツ情報を抽出する。レコメンドサーバ１は、抽出した推薦番組情報に基づいて、その推薦番組に関する推薦番組表示情報を生成する。レコメンドサーバ１は、抽出した推薦ＶＯＤコンテンツ情報に基づいて、その推薦ＶＯＤコンテンツに関する推薦ＶＯＤコンテンツ表示情報を生成する。レコメンドサーバ１は、受信装置２０毎に生成した対応コンテンツ表示情報、推薦番組表示情報及び推薦ＶＯＤコンテンツ表示情報を、それぞれカード生成サーバ２に送信する。なお、レコメンドサーバ１は、対応コンテンツの候補となるＶＯＤコンテンツ情報を、推薦ＶＯＤコンテンツの候補となるＶＯＤコンテンツ情報とは、別個に取得してもよい。
【００２６】
カード生成サーバ２は、レコメンドサーバ１から受信した対応コンテンツ表示情報、推薦番組表示情報及び推薦ＶＯＤコンテンツ表示情報のそれぞれに含まれる表示情報を補完する画像データの一例としてカードデータを生成する。その画像データが示す画像には、例えば、表示情報としてタイトルが含まれる他、そのコンテンツの一場面を表すサムネイル画像と各種のメッセージが含まれてもよい。ここで、カード生成サーバ２には、予め各コンテンツの識別情報として、ＶＯＤコンテンツＩＤ、タイトルＩＤもしくはストーリーＩＤと、サムネイル画像ならびにメッセージのデータを対応付けて記憶しておく。これにより、カード生成サーバ２は、対応コンテンツ表示情報に含まれるＶＯＤコンテンツＩＤに対応するサムネイル画像とメッセージを特定し、推薦番組表示情報に含まれるタイトルＩＤもしくはストーリーＩＤに対応するサムネイル画像とメッセージを特定し、推薦ＶＯＤコンテンツ表示情報に含まれるＶＯＤコンテンツＩＤに対応するサムネイル画像とメッセージを特定する。なお、カード生成サーバ２は、サービス種別に応じて異なる表示態様の画像を示すカードデータを生成してもよい。また、カード生成サーバ２は、処理対象のコンテンツが対応コンテンツか推薦ＶＯＤコンテンツかに応じて異なる表示態様の画像を示すカードデータを生成してもよい。表示態様は、例えば、背景色、形状、装飾の有無もしくは装飾の形態などである。カード生成サーバ２は、生成したカードデータをそれぞれ付加した対応コンテンツ表示情報、推薦番組表示情報及び推薦ＶＯＤコンテンツ表示情報を配信サーバ１０に送信する。
【００２７】
テレビジョン受信機３は、放送設備から選局されたチャンネルに対応する周波数帯域の放送波で搬送された放送信号を受信する。テレビジョン受信機３は、受信した放送信号から抽出した番組の映像データに基づく映像を表示する。テレビジョン受信機３は、選局されたチャンネルと受信時間を含む選局情報を履歴集積サーバ５に送信する。テレビジョン受信機３は、後述するＳＴＢ１１と同様の機能構成を備えてもよい。
【００２８】
ユーザ管理サーバ４は、ユーザ情報を記憶するサーバ装置である。ユーザ情報は、コンテンツ推薦システムＳ１の各ユーザと使用機器との対応関係を示すデータである。ユーザ情報は、例えば、各ユーザのユーザＩＤ（Ｉｄｅｎｔｉｆｉｅｒ）と、当該ユーザの受信装置２０が使用される地域と、その受信装置２０としてテレビジョン受信機３、ＳＴＢ１１ならびに携帯端末装置１２の少なくともいずれかの機器ＩＤを含み、それらを対応付けて構成される。なお、ユーザ管理サーバ４は、ユーザＩＤと機器ＩＤを、その機器ＩＤを有するテレビジョン受信機３、ＳＴＢ１１又は携帯端末装置１２から受信してもよいし、オペレータの操作に応じて直接取得してもよい。
【００２９】
履歴集積サーバ５は、各端末装置から選局情報及びＶＯＤ選択情報を受信する。履歴集積サーバ５は、選局情報に含まれる機器ＩＤ毎に選局情報を集積して番組視聴履歴を形成し、ＶＯＤ選択情報に含まれる機器ＩＤ毎にＶＯＤ選択情報を集積してＶＯＤ視聴履歴を形成する。履歴集積サーバ５は、形成した番組視聴履歴とＶＯＤ視聴履歴をレコメンドサーバ１に送信する。また、履歴集積サーバ５は、各受信装置２０から操作履歴を受信し、当該端末装置の機器ＩＤ毎に操作履歴を集積する。操作履歴には、例えば、カード型画像（後述）の選択に係る操作が含まれる。履歴集積サーバ５は、集積した操作履歴をレコメンドサーバ１に送信する。
【００３０】
番組集積サーバ６は、その時点よりも未来に放送される予定の番組を示す番組情報を取得し、取得した番組を集積する。番組情報は、各番組のタイトルＩＤ、番組名、放送時間、放送局名もしくはチャンネルなど、その番組を特定するメタ情報である。番組情報には、地域、ジャンル、キャスト、キーワードなど、その番組の属性を示す情報が含まれてもよい。その番組が一連のシリーズ番組のうちの個別番組である場合には、シリーズ番組を識別するタイトルＩＤの他、その個別番組を識別するストーリーＩＤが番組情報に含まれてもよい。また、番組情報には、その番組の案内記事の情報が送信可能なサーバ装置のＵＲＬ（Ｕｎｉｆｏｒｍ  Ｒｅｓｏｕｒｃｅ  Ｌｏｃａｔｏｒ）が含まれてもよい。番組集積サーバ６は、新たに集積した番組情報をレコメンドサーバ１に送信する。
【００３１】
ＶＯＤコンテンツ集積サーバ７は、その時点よりも未来に配信可能なＶＯＤコンテンツを示すＶＯＤコンテンツ情報を取得し、取得したＶＯＤコンテンツ情報を集積する。ＶＯＤコンテンツ情報は、ＶＯＤコンテンツＩＤ、タイトル名など、そのＶＯＤコンテンツを特定するメタ情報である。ＶＯＤコンテンツ情報には、取得元情報（例えば、ＵＲＬ）、配信期間、プロバイダ名、再生時間、ジャンル、キャスト、キーワードなど、の情報が含まれてもよい。
ＶＯＤコンテンツ集積サーバ７は、新たに集積したＶＯＤコンテンツ情報をレコメンドサーバ１に送信する。
【００３２】
ランキングサーバ８は、履歴集積サーバ５から受信したユーザＩＤ毎の番組視聴履歴を解析して、所定の期間における各番組の視聴率を集計するサーバ装置である。視聴率は、例えば、その期間における当該番組を受信した端末装置数の集計対象の端末装置数に対する比であってもよいし、その期間における当該番組を視聴した視聴者数の集計対象の視聴者数に対する比であってもよい。ランキングサーバ８は、視聴率の降順に各番組の順位を定め、定めた順位と視聴率を示す番組ランキング情報を生成する。ランキングサーバ８は、履歴集積サーバ５から受信したユーザＩＤ毎のＶＯＤ視聴履歴を解析して、所定の期間について集計した各ＶＯＤコンテンツの視聴率に基づいて、定めた順位と視聴率を示すＶＯＤコンテンツランキング情報を生成してもよい。ランキングの集計単位は、全国の端末装置又は視聴者に限られず、所定の地域毎の端末装置又は視聴者であってもよい。集計単位が地域である場合には、ランキングサーバ８は、地域毎に番組ランキング情報とＶＯＤコンテンツランキング情報を生成する。ランキングサーバ８は、生成した番組ランキング情報とＶＯＤコンテンツランキング情報をレコメンドサーバ１に送信する。なお、ランキングは、視聴率に基づくものに限らず、視聴者数に基づくもの、もしくは端末装置数に基づくものであってもよい。
【００３３】
ＶＯＤコンテンツサーバ９は、所定のＶＯＤコンテンツを示すＶＯＤコンテンツデータを蓄積するサーバ装置である。ＶＯＤコンテンツは、例えば、漫画を素材にした動画（アニメーション）、実写された素材からなる映画、ドキュメンタリ、運動競技などの映像を含む。ＶＯＤコンテンツには、対応コンテンツが含まれる。対応コンテンツは、シリーズ番組を構成する個別番組毎のＶＯＤコンテンツである。ＶＯＤコンテンツサーバ９は、例えば、コンテンツのプロバイダが管理するサーバ装置である。ＶＯＤコンテンツサーバ９は、受信装置２０からＶＯＤコンテンツ要求を受信するとき、その応答として要求されたＶＯＤコンテンツデータを受信装置２０に送信する。
【００３４】
配信サーバ１０は、カード生成サーバ２から受信したユーザ毎の関連番組表示情報、推薦番組表示情報及び推薦ＶＯＤコンテンツ表示情報を、そのユーザ毎に予め設定された受信装置２０、例えば、ＳＴＢ１１に所定時間（例えば、３時間）毎に配信する。
【００３５】
ＳＴＢ１１は、配信サーバ１０から受信した対応コンテンツ表示情報、推薦番組表示情報及び推薦ＶＯＤコンテンツ表示情報を受信し、受信した関連番組コンテンツ情報、推薦番組表示情報及び推薦ＶＯＤコンテンツ表示情報を併せて表示部２２２に出力する。ＳＴＢ１１は、推薦番組表示情報の出力中にその推薦番組を表す画像への指示に応じて、その推薦番組の受信に係る処理を行う。推薦番組のサービス種別が、放送である場合には、ＳＴＢ１１は、指定された放送チャンネルで受信した受信信号から映像信号を抽出し、抽出した映像信号を表示部に出力する。推薦番組のサービス種別が、予約である場合には、ＳＴＢ１１は、所定の予約画面を表示部に表示させ、推薦番組表示情報で指定された放送時間にその放送チャンネルで受信した受信信号に基づく映像信号を記録する（録画予約）、記録に代えて、もしくは記録とともに、その映像信号を表示部に表示させる（視聴予約）。また、ＳＴＢ１１は、対応コンテンツ表示情報の出力中にその対応コンテンツを表す画像への指示に応じて、その対応コンテンツの受信に係る処理を行う。ＳＴＢ１１は、推薦ＶＯＤコンテンツ表示情報の出力中にその推薦ＶＯＤコンテンツを表す画像への指示に応じて、その推薦ＶＯＤコンテンツの受信に係る処理を行う。ここで、ＳＴＢ１１は、その対応コンテンツもしくはＶＯＤコンテンツについてのＶＯＤコンテンツ要求をＶＯＤコンテンツサーバ９に送信し、その応答としてＶＯＤコンテンツデータをＶＯＤコンテンツサーバ９から受信する。ＳＴＢ１１は、受信したＶＯＤコンテンツサーバ９に含まれる映像信号を表示部に出力する。
【００３６】
携帯端末装置１２は、ネットワークＮＷと無線で各種のデータを送受信することができる電子機器である。携帯端末装置１２は、例えば、携帯電話機、タブレット端末装置などである。携帯端末装置１２は、ＳＴＢ１１と同様の機能構成を備えてもよい。
なお、図１に示す例では、テレビジョン受信機３、ＳＴＢ１１、携帯端末装置１２、ＶＯＤコンテンツ集積サーバ７及びＶＯＤコンテンツサーバ９の数は、それぞれ１個であるが、一般には複数である。例えば、シリーズ番組を構成する個別番組と同一の映像を含む対応コンテンツの対応コンテンツ情報を取得、提供するコンテンツプロバイダのＶＯＤコンテンツ集積サーバ７と、その他のＶＯＤコンテンツのＶＯＤコンテンツ情報を取得、提供するＶＯＤコンテンツ集積サーバ７とは別個であってもよいし同一であってもよい。また、対応コンテンツのＶＯＤコンテンツデータを提供するコンテンツプロバイダのＶＯＤコンテンツサーバ９と、その他のＶＯＤコンテンツのＶＯＤコンテンツデータを提供するＶＯＤコンテンツサーバ９とは別個であってもよいし同一であってもよい。
【００３７】
（コンテンツ推薦システムの機能構成）
次に、本実施形態に係るコンテンツ推薦システムＳ１の機能構成の一例について説明する。図２は、本実施形態に係るコンテンツ推薦システムＳ１の機能構成の一例を示す概略ブロック図である。コンテンツ推薦システムＳ１は、レコメンドサーバ１と、受信装置２０と、外部サーバ３０とを含んで構成される。受信装置２０は、上述のテレビジョン受信機３、ＳＴＢ１１及び携帯端末装置１２を総称したものである。受信装置２０は、テレビジョン受信機３、ＳＴＢ１１及び携帯端末装置１２のいずれの形態で実施されてもよい。外部サーバ３０は、上述のカード生成サーバ２、ユーザ管理サーバ４、履歴集積サーバ５、番組集積サーバ６、ＶＯＤコンテンツ集積サーバ７、ランキングサーバ８、ＶＯＤコンテンツサーバ９及び配信サーバ１０のセットである。外部サーバ３０は、任意の個数のコンピュータ装置として分散又は集約して配置されてもよい。外部サーバ３０の一部の構成が、レコメンドサーバ１の一部として一体化されてもよい。
【００３８】
（レコメンドサーバの構成）
次に、レコメンドサーバ１の機能構成について説明する。レコメンドサーバ１は、ユーザ情報取得部１０１、履歴情報取得部１０２、番組情報取得部１０３、ＶＯＤコンテンツ情報取得部１０４、ＣＰ指定コンテンツ情報取得部１０５、ランキング情報取得部１０６、推薦コンテンツ情報生成部１１０、カード編成部１２１、カード登録部１２２及び通信部１３１を含んで構成されるコンテンツ推薦装置である。
【００３９】
ユーザ情報取得部１０１は、ユーザ管理サーバ４から通信部１３１を介してユーザ情報を取得する。ユーザ情報取得部１０１は、取得したユーザ情報を履歴情報取得部１０２に出力する。
履歴情報取得部１０２は、履歴集積サーバ５から所定期間（例えば、１日）毎に受信装置２０の機器ＩＤ毎の番組視聴履歴とＶＯＤコンテンツ視聴履歴を、通信部１３１を介して取得する。履歴情報取得部１０２は、ユーザ情報取得部１０１が取得したユーザ情報を参照して、機器ＩＤ毎の番組視聴履歴とＶＯＤコンテンツ視聴履歴をそれぞれ対応するユーザＩＤ毎に集約し、ユーザＩＤ毎の番組視聴履歴とＶＯＤコンテンツ視聴履歴を形成する。履歴情報取得部１０２は、形成した番組視聴履歴とＶＯＤコンテンツ視聴履歴を推薦コンテンツ情報生成部１１０に出力する。
【００４０】
番組情報取得部１０３は、通信部１３１を介して放送予定の番組毎の番組情報を所定期間（例えば、１日）毎に番組集積サーバ６から受信する。番組情報取得部１０３には、過去に放送された番組の番組情報も蓄積される。番組情報取得部１０３は、受信した番組情報を推薦コンテンツ情報生成部１１０に出力する。
【００４１】
ＶＯＤコンテンツ情報取得部１０４は、通信部１３１を介して送信予定のＶＯＤコンテンツ毎のＶＯＤコンテンツ情報を所定時間（例えば、７日）毎にＶＯＤコンテンツ集積サーバ７から取得する。送信予定とは、未来の推薦に係る時間帯が配信期間に含まれることを意味する。また、送信予定のＶＯＤコンテンツには、その時点（現在）の時刻が配信期間に含まれるＶＯＤコンテンツが含まれる。上述したように、ＶＯＤコンテンツ情報には、シリーズ番組を構成する個別番組に対応する対応コンテンツの対応コンテンツ情報が含まれる。ＶＯＤコンテンツ情報取得部１０４は、受信した対応コンテンツ情報とその他のＶＯＤコンテンツ情報を推薦コンテンツ情報生成部１１０に出力する。
【００４２】
ＣＰ（Ｃｏｎｔｅｎｔ  Ｐｒｏｖｉｄｅｒ）指定コンテンツ情報取得部１０５は、通信部１３１を介して送信予定のＶＯＤコンテンツ情報のうちＣＰ指定コンテンツを示すＣＰ指定コンテンツ情報を取得する。ＣＰ指定コンテンツとは、コンテンツプロバイダが指定した所定のコンテンツである。ＣＰ指定コンテンツは、他のコンテンツよりも優先して全ユーザに推薦されることがある。また、ＣＰ指定コンテンツを表す情報が表示される表示時間帯が予め設定されていることがある。ＣＰ指定コンテンツ情報取得部１０５は、例えば、ＶＯＤコンテンツ情報にＣＰ指定コンテンツであることを示すＣＰ指定コンテンツ識別情報が含まれていることをもって、当該ＶＯＤコンテンツがＣＰ指定コンテンツであることを識別してもよい。ＣＰ指定コンテンツ情報取得部１０５は、取得したＣＰ指定コンテンツ情報をカード編成部１２１に出力する。
【００４３】
ランキング情報取得部１０６は、通信部１３１を介してランキングサーバ８から所定時間（例えば、１日）毎に番組ランキング情報とＶＯＤコンテンツランキング情報を取得する。ランキング情報取得部１０６は、取得した番組ランキング情報とＶＯＤコンテンツランキング情報をカード編成部１２１に出力する。
【００４４】
推薦コンテンツ情報生成部１１０は、推薦番組表示情報生成部１１１と、推薦ＶＯＤコンテンツ表示情報生成部１１２と、見逃し番組コンテンツリスト取得部１１３と、フィルタリング処理部１１４と、見逃し番組判定部１１５と、見逃し番組コンテンツ表示情報生成部１１６とを含んで構成される。
推薦番組表示情報生成部１１１は、履歴情報取得部１０２から入力されるユーザＩＤ毎の番組視聴履歴に基づいて、番組情報取得部１０３から入力される番組情報から推薦番組に係る推薦番組情報を選択する。単位時間毎に放送時間の一部又は全部が含まれる番組の番組情報が推薦番組の候補になる。この単位時間は、受信装置２０において推薦番組、推薦ＶＯＤコンテンツならびに対応コンテンツの情報を更新する周期、ひいては、表示時間帯に相当する。以下の説明では。この単位時間を、スロットと呼ぶことがある。推薦番組表示情報生成部１１１は、例えば、視聴履歴が示す番組の番組情報と抽出条件となる要素が一致する番組それぞれのスコアを算出する。推薦番組表示情報生成部１１１は、算出したスコアの降順に単位時間毎に所定の個数（例えば、６個）の番組の番組情報を推薦番組情報として抽出する。抽出条件として、例えば、番組の属性を示す番組情報の要素として、キャスト、ジャンル及びキーワードが用いられる。スコアは、一致する抽出条件の個数ならびに頻度が多いほど高く、その受信時間、つまり、視聴時間が長いほど高い。以下の説明では、推薦に係る単位時間を、スロットと呼ぶことがある。推薦番組表示情報生成部１１１は、キャスト、ジャンル、キーワードなどの要素の種別に応じて異なる重み係数が予め設定され、それぞれの要素の出現度数に重み係数を乗じて得られる乗算値の要素間の総和をスコアとして算出してもよい。これにより、ユーザの嗜好の要素が多く含まれる番組ほど推薦番組として選択される。この手法を嗜好ベースの抽出と呼ぶことがある。
【００４５】
推薦番組表示情報生成部１１１は、選択した推薦番組の推薦番組情報から上述した表示情報と、受信情報を抽出する。表示情報には、その推薦番組自体のタイトル、など、その推薦番組を特定する情報が含まれてもよい。受信情報には、その推薦番組の放送時間及び放送チャネルもしくは放送局名などの受信に用いられる情報が含まれる。サービス種別情報は、放送又は予約など受信サービスの種別を示す情報である。推薦番組表示情報生成部１１１は、放送時間の一部又は全部がスロットに含まれる推薦番組については、そのスロットに係るサービス種別を放送と定め、放送時間がスロットの終了時刻よりも後の推薦番組については、そのスロットに係るサービス種別を予約と定める。なお、推薦番組表示情報生成部１１１は、放送時間の一部又は全部がスロットに含まれる推薦番組を棄却する。推薦番組表示情報生成部１１１は、抽出した表示情報、受信情報及びサービス種別情報を含む推薦番組表示情報を生成する。推薦番組表示情報には、その推薦番組を識別するタイトルＩＤが含まれてもよい。推薦番組がシリーズ番組を構成する個別番組である場合には、推薦番組情報には、さらに個別番組を識別するストーリーＩＤが含まれてもよい。推薦番組表示情報生成部１１１は、生成した推薦番組表示情報と、その推薦番組について算出したスコアとを対応付けてカード編成部１２１に出力する。
【００４６】
推薦ＶＯＤコンテンツ表示情報生成部１１２は、履歴情報取得部１０２から入力されるユーザＩＤ毎のＶＯＤコンテンツ視聴履歴に基づいて、ＶＯＤコンテンツ情報取得部１０４から入力されるＶＯＤコンテンツ情報から推薦ＶＯＤコンテンツに係る推薦ＶＯＤコンテンツ情報を選択する。推薦ＶＯＤコンテンツ表示情報生成部１１２は、ＶＯＤコンテンツ情報を選択する際、配信期間の一部又は全部がスロットに含まれるＶＯＤコンテンツ情報から、例えば、推薦番組表示情報生成部１１１と同様に嗜好ベースの抽出を行う。推薦ＶＯＤコンテンツ表示情報生成部１１２は、選択した推薦ＶＯＤコンテンツの推薦ＶＯＤコンテンツ情報から表示情報と、受信情報を抽出する。表示情報には、その推薦ＶＯＤコンテンツ情報自体のタイトル、サブタイトル、など、その推薦ＶＯＤコンテンツを特定する情報が含まれてもよい。抽出される受信情報には、その推薦ＶＯＤコンテンツの取得先であるＶＯＤコンテンツサーバ９のＵＲＬと配信期間が含まれる。推薦ＶＯＤコンテンツ表示情報生成部１１２は、抽出した表示情報、受信情報及びサービス種別がＶＯＤであることを示すサービス種別情報を含む推薦ＶＯＤコンテンツ表示情報を生成する。推薦ＶＯＤコンテンツ表示情報には、その推薦ＶＯＤコンテンツを識別するＶＯＤコンテンツＩＤが含まれてもよい。推薦ＶＯＤコンテンツ表示情報生成部１１２は、生成した推薦ＶＯＤコンテンツ表示情報と、その推薦ＶＯＤコンテンツについて算出したスコアとを対応付けてカード編成部１２１に出力する。
【００４７】
見逃し番組コンテンツリスト取得部１１３は、ＶＯＤコンテンツ情報取得部１０４からＶＯＤコンテンツ情報のうち一連の対応コンテンツ情報が見逃し番組コンテンツリストとして入力される。対応コンテンツ情報には、その対応コンテンツと同一の個別番組の番組名、放送局名、放送曜日、放送時間など、その個別番組を特定する情報が含まれてもよい。見逃し番組コンテンツリスト取得部１１３は、取得した対応コンテンツ情報をフィルタリング処理部１１４に出力する。なお、見逃し番組コンテンツリスト取得部１１３は、操作者の操作信号に基づいて見逃し番組コンテンツリストとして所定の形式の対応コンテンツ情報を生成してもよいし、他の機器からその対応コンテンツ情報を受信してもよい。
【００４８】
フィルタリング処理部１１４は、見逃し番組コンテンツリスト取得部１１３から入力される対応コンテンツ情報から非提供の対応コンテンツ情報を除外（フィルタリング）して提供対象とする対応コンテンツ情報を抽出する。非提供の対応コンテンツ情報として、提供にふさわしくない対応コンテンツ情報が該当する。提供にふさわしくない対応コンテンツ情報は、例えば、暴力、性、残酷、恐怖、麻薬などの描写、反社会的な行動などを表現する映像、音声などで構成するコンテンツのコンテンツ情報である。フィルタリング処理部１１４は、所定の制限情報が含まれている対応コンテンツ情報を非提供の対応コンテンツ情報として除外してもよい。所定の制限情報は、例えば、ＰＧ１２、Ｒ１５＋、Ｒ１８＋などの年齢制限、その他、適応区分外（ブラックリスト）としての特定を示す情報、などが利用可能である。
【００４９】
フィルタリング処理部１１４は、除外されずに残された対応コンテンツ情報のうち対応コンテンツとしてシリーズ番組の個別番組と一意に対応付けられる対応コンテンツを特定する。フィルタリング処理部１１４は、例えば、対応コンテンツ情報が示す番組名、放送局名及び放送時間が、番組情報が示す番組名、放送時間とそれぞれ一致する対応コンテンツを特定する。放送時間は、放送開始時間と放送終了時間により特定される。フィルタリング処理部１１４は、特定した対応コンテンツと番組名、放送局名、放送時間が一致する番組情報に係る個別番組により構成されるシリーズ番組を特定する。また、フィルタリング処理部１１４は、対応する個別番組の放送時間が所定の特定時間内である場合には、その対応コンテンツ情報に提示時間制限情報を付加してもよい。特定時間は、例えば、０時から５時までの深夜である。提示時間制限情報は、その特定時間の開始時刻から所定時間前から特定時間の終了時刻までの間（例えば、前日の２３時から当日の５時）に提示時間を制限することを示す情報である。これにより、対応コンテンツの受信が提示時間内に制限される。
【００５０】
なお、フィルタリング処理部１１４は、ある所定の地域（例えば、関東地方）において放送される個別番組に対応するＶＯＤコンテンツを対応コンテンツとして特定し、さらにその個別番組に対応する他地域で放送される個別番組を特定する。ひいては、対応コンテンツに対する個別番組に対応する他地域で放送される個別番組が特定される。フィルタリング処理部１１４は、他地域で放送される個別番組として、前述の所定の地域で放送される個別番組と番組名と放送局名などの番組情報の要素が一致する個別番組を特定する。番組情報の要素として、チャンネル、放送局名、放送される曜日、放送時間など、地域毎に異なりうる条件の一部または全部は無視されてもよい。放送局名は、地域毎に異なりうるが、フィルタリング処理部１１４は、予め設定された系列情報を参照して、地域間において所定の地域における放送局名と同じ系列に属する放送局名を、一致する放送局名として判定してもよい。系列情報は、各系列に属する地域毎の放送局名を示す情報である。フィルタリング処理部１１４は、番組名と放送局名（同じ系列に属する放送局も含む）が一致していれば、所定の地域と他の地域との間で放送曜日が異なる個別番組を特定してもよいし、放送時間が異なる個別番組を特定してもよい。なお、フィルタリング処理部１１４は、対応する個別番組を複数件検出する場合には、複数件のうち放送時間が所定の地域と他の地域との間で一致する１件の個別番組を特定してもよい。また、個別番組に対応する対応コンテンツの特定において、放送局に代えて、その放送局を示すＳＩＤ（Ｓｔａｔｉｏｎ  ＩＤ）又はチャンネルが用いられてもよい。よって、地域により個別番組の放送の有無、放送局もしくはチャンネルの差異があっても、対応コンテンツに対応する個別番組が特定される。なお、フィルタリング処理部１１４は、個別番組に対応する対応コンテンツを、その個別番組が放送される地域毎に特定してもよい。フィルタリング処理部１１４は、特定した対応コンテンツの対応コンテンツ情報と、その対応コンテンツ情報に対応する個別番組の番組情報を見逃し番組判定部１１５に出力する。
【００５１】
見逃し番組判定部１１５には、フィルタリング処理部１１４から対応コンテンツ情報と番組情報とが対応付けて入力され、履歴情報取得部１０２からユーザＩＤ毎の番組視聴履歴が入力される。見逃し番組判定部１１５は、ユーザＩＤ毎の番組視聴履歴を参照して、シリーズ番組に含まれる所定の期間内に放送された個別番組毎の受信の有無のパターンを特定する。個別番組毎に受信の有無を判定する際、見逃し番組判定部１１５は、放送時間のうち所定の比率よりも視聴時間が長いとき、その個別番組が視聴されたと判定し、視聴時間がその比率以下であるとき、その個別番組が視聴されなかったと判定する。所定の比率は、例えば、１／４〜１／２である。所定の比率に代えて所定の時間が用いられてもよい。所定の時間は、例えば、５〜１０分である。以下の説明では、個別番組毎の視聴の有無のパターンを視聴パターンと呼ぶ。個別番組が１週間毎に放送されるシリーズ番組については、所定の期間は、例えば、その時点までの３〜１０週間であり、３〜１０回の放送に相当する。見逃し番組判定部１１５は、視聴された個別番組と視聴されない個別番組を、それぞれ少なくとも１回存在するシリーズ番組を抽出する。レコメンドサーバ１の記憶部（図示せず）には、予め判定データを記憶させておく。判定データは、視聴パターン毎にカード生成の要否とその優先度を示すデータである。カード生成とは、未視聴番組に対応する対応コンテンツ情報に基づいて対応コンテンツ表示情報を生成すること、ひいては生成した対応コンテンツ表示情報を出力することを意味する。対応コンテンツ表示情報は、後述するように、一例としてカード型の画像に表示する表示情報と、その対応コンテンツの受信に関する要件を示す受信情報とを含む。
【００５２】
見逃し番組判定部１１５は、判定データを参照して、シリーズ番組毎の視聴パターンに対応する対応コンテンツ表示情報の生成の要否と、その優先度を判定する。見逃し番組判定部１１５は、対応コンテンツ表示情報を生成すると判定する場合、視聴されない個別番組を未視聴番組として特定する。特定される未視聴番組は、ユーザが視聴する意思を有するにも関わらず、視聴されなかった見逃し番組である可能性が高い。見逃し番組判定部１１５は、特定した未視聴番組に対応する対応コンテンツ情報、その未視聴番組の番組情報、サービス種別がＶＯＤであることを示すサービス種別情報及び判定した優先度を示す優先度情報を見逃し番組コンテンツ表示情報生成部１１６に出力する。判定データの例については、後述する。
【００５３】
見逃し番組コンテンツ表示情報生成部１１６には、見逃し番組判定部１１５から対応コンテンツ情報、対応する未視聴番組の番組情報、及び優先度情報が入力される。見逃し番組コンテンツ表示情報生成部１１６は、入力された対応コンテンツ情報に含まれる要素から対応コンテンツに関する情報の表示に用いる表示情報と、受信情報を抽出する。表示情報には、その対応コンテンツ情報に係るシリーズコンテンツのタイトル、その対応コンテンツのサブタイトルなど、その対応コンテンツを特定する情報が含まれてもよい。シリーズコンテンツのタイトルは、シリーズ番組の番組名に相当する。見逃し番組コンテンツ表示情報生成部１１６は、対応する未視聴番組の番組情報からチャンネル、放送時間などの受信情報を抽出し、抽出した受信情報を表示情報に付加してもよい。受信情報には、その対応コンテンツの取得先であるコンテンツサーバ（図示せず）のＵＲＬと配信期間が含まれる。見逃し番組コンテンツ表示情報生成部１１６は、抽出した配信期間の配信開始日時と配信終了日時のうち、配信終了日時として対応する未視聴番組の次に放送予定の個別番組の放送開始日時に更新する。次に放送予定の個別番組は、その未視聴番組のシリーズ番組に属する未放送の個別番組のうち、その時点から放送開始日時までの期間が最も短い個別番組である。対応コンテンツ表示情報には、対応コンテンツのＶＯＤコンテンツＩＤが含まれてもよい。また、見逃し番組コンテンツ表示情報生成部１１６は、その対応コンテンツについて、推薦ＶＯＤコンテンツの選択に用いるスコアと同様な手法でスコアを算出し、算出したスコアを優先度情報に付加してもよい。見逃し番組コンテンツ表示情報生成部１１６は、生成した対応コンテンツ表示情報と優先度情報とを対応付けてカード編成部１２１に出力する。
【００５４】
カード編成部１２１には、推薦番組表示情報生成部１１１から推薦番組表示情報とスコアが、推薦ＶＯＤコンテンツ表示情報生成部１１２から推薦ＶＯＤコンテンツ表示情報とスコアが、見逃し番組コンテンツ表示情報生成部１１６から対応コンテンツ表示情報と優先度情報が、それぞれユーザＩＤならびにスロット毎に入力される。カード編成部１２１は、以下の処理をユーザＩＤならびにスロット毎に行う。カード編成部１２１は、入力された推薦ＶＯＤコンテンツ表示情報と対応コンテンツ表示情報のうち、受信装置２０に送信する情報を一括して選択する。推薦ＶＯＤコンテンツ、対応コンテンツともにサービス種別がＶＯＤであるためである。ここで、カード編成部１２１は、対応する優先度情報が示す優先度が最優先である対応コンテンツ表示情報が存在する場合には、その対応コンテンツ表示情報の優先順位として最優先の優先順位（第１位）を設定する。カード編成部１２１は、推薦ＶＯＤコンテンツ表示情報と、優先度が最優先よりも低い対応コンテンツ表示情報の優先順位をスコアの降順に定める。降順に定められる優先順位は、最優先の優先順位よりも低い。カード編成部１２１は、優先順位が高いほど優先して所定の個数（選択数）の推薦ＶＯＤコンテンツと対応コンテンツを選択する。スコアによっては対応コンテンツが選択されないことがある。また、選択される推薦ＶＯＤコンテンツには、対応コンテンツと同一の対応コンテンツが含まれることがある。カード編成部１２１は、選択した対応コンテンツの対応コンテンツ表示情報、ＶＯＤコンテンツの推薦ＶＯＤコンテンツ表示情報及び推薦番組の推薦番組表示情報をカード登録部１２２に出力する。
【００５５】
なお、カード編成部１２１には、ＣＰ指定コンテンツ情報取得部１０５から番組情報に基づくＣＰ指定コンテンツ情報が入力される場合がある。その場合には、所定の時間帯（ＣＰ指定コンテンツ表示時間帯）に含まれるスロットについて、カード編成部１２１は、そのＣＰ指定コンテンツを他の推薦番組よりも高い優先順位の推薦番組として定めてもよい。カード編成部１２１は、その番組情報に基づいて推薦番組表示情報生成部１１１と同様の手順を用いて推薦番組表示情報を生成する。カード編成部１２１は、生成した推薦番組表示情報をカード登録部１２２に出力する。
【００５６】
また、カード編成部１２１には、ＣＰ指定コンテンツ情報取得部１０５からＶＯＤコンテンツ情報に基づくＣＰ指定コンテンツ情報が入力される場合がある。その場合には、カード編成部１２１は、ＣＰ指定コンテンツ表示時間帯に含まれるスロットについて、そのＣＰ指定コンテンツを、他のＶＯＤコンテンツよりも高い優先順位のＶＯＤコンテンツとして定めてもよい。カード編成部１２１は、そのＶＯＤコンテンツ情報に基づいて推薦ＶＯＤコンテンツ表示情報生成部１１２と同様の手順を用いて推薦ＶＯＤコンテンツ表示情報を生成する。カード編成部１２１は、生成した推薦ＶＯＤコンテンツ表示情報をカード登録部１２２に出力する。
【００５７】
なお、カード編成部１２１には、ランキング情報取得部１０６から番組ランキング情報が入力される場合がある。その場合には、カード編成部１２１は、番組ランキング情報が示す番組のうち、その番組情報を参照して番組名、放送時間及び曜日が一致する番組をシリーズ番組として特定する。カード編成部１２１は、所定の時間帯（ランキングベース表示時間帯）に含まれるスロットの一部又は全部が放送時間に含まれるシリーズ番組を推薦番組の候補として定める。そして、カード編成部１２１は、定めた推薦番組の候補のうち所定の個数の番組を順位の高い順に推薦番組として選択する。そして、カード編成部１２１は、その番組情報に基づいて推薦番組表示情報生成部１１１と同様の手順を用いて推薦番組表示情報を生成する。カード編成部１２１は、生成した推薦番組表示情報をカード登録部１２２に出力する。
【００５８】
なお、カード編成部１２１には、ランキング情報取得部１０６からＶＯＤコンテンツランキング情報が入力される場合がある。その場合には、カード編成部１２１は、ランキングベース表示時間帯に含まれるスロットの一部又は全部を、そのＶＯＤコンテンツ情報で特定される配信期間内のＶＯＤコンテンツを推薦ＶＯＤコンテンツの候補として定める。そして、カード編成部１２１は、定めた推薦ＶＯＤコンテンツの候補のうち所定の個数のＶＯＤコンテンツを順位の高い順に推薦ＶＯＤコンテンツとして選択する。そして、カード編成部１２１は、そのＶＯＤコンテンツ情報に基づいて推薦ＶＯＤコンテンツ表示情報生成部１１２と同様の手順を用いて推薦ＶＯＤコンテンツ表示情報を生成する。カード編成部１２１は、生成した推薦ＶＯＤコンテンツ表示情報をカード登録部１２２に出力する。
【００５９】
カード登録部１２２は、カード編成部１２１から入力された推薦番組表示情報、推薦ＶＯＤコンテンツ表示情報及び対応コンテンツ表示情報をユーザＩＤ及びスロット毎に集積する。カード登録部１２２は、集積した推薦番組表示情報、推薦ＶＯＤコンテンツ表示情報及び対応コンテンツ表示情報をカード生成サーバ２に通信部１３１を介して出力する。カード生成サーバ２では、出力された推薦番組表示情報、推薦ＶＯＤコンテンツ表示情報及び対応コンテンツ表示情報に、それぞれ画像データが付加される。画像データが付加された推薦番組表示情報、推薦ＶＯＤコンテンツ表示情報及び対応コンテンツ表示情報は、配信サーバ１０を介して各ユーザＩＤに対応する機器ＩＤで指定される受信装置２０に配信される。
通信部１３１は、ネットワークＮＷに接続される機器との間で、各種のデータを送受信する。通信部１３１は、例えば、通信インタフェースである。
【００６０】
（受信装置の構成）
次に、受信装置２０の構成について説明する。受信装置２０は、カード取得部２０１、カード表示機能・起動部２０２、選局機能部２１１、予約機能部２１２、ＶＯＤ機能部２１３、人物検出部２２１、表示部２２２、入力部２２３、通信部２３１及び放送受信部２３２を含んで構成される。
【００６１】
カード取得部２０１は、単位時間毎に表示情報要求を配信サーバ１０に通信部２３１を介して送信する。カード取得部２０１は、表示情報要求に対する応答として、そのスロットに係る表示情報である推薦番組表示情報、推薦ＶＯＤコンテンツ表示情報及び対応コンテンツ表示情報を配信サーバ１０から受信する。カード取得部２０１は、受信した推薦番組表示情報、推薦ＶＯＤコンテンツ表示情報及び対応コンテンツ表示情報を記憶する。
【００６２】
カード表示機能・起動部２０２は、各種のコンテンツを表すカード型の画像の表示部２２２への表示及び表示された画像への指示に応じたコンテンツの受信サービスに係る処理を制御する。カード表示機能・起動部２０２は、起動が指示されるとき、その処理を開始する。起動が指示されるとは、人物検出部２２１から検出信号が入力されること、又は入力部２２３から起動を示す操作信号が入力されることを示す。カード型の画像には、推薦番組表示情報に係る推薦番組を表す画像、推薦ＶＯＤコンテンツ表示情報に係る推薦ＶＯＤコンテンツを表す画像及び対応コンテンツ表示情報に係る対応コンテンツを表す画像がある。
【００６３】
カード表示機能・起動部２０２は、カード表示制御部２０３と、機能制御部２０４を含んで構成される。
カード表示制御部２０３は、その時点（現在）の時刻が属するスロットの推薦番組表示情報、推薦ＶＯＤコンテンツ表示情報及び対応コンテンツ表示情報をカード取得部２０１から読み取る。
カード表示制御部２０３は、読み取った推薦番組表示情報、推薦ＶＯＤコンテンツ表示情報及び対応コンテンツ表示情報から、それぞれのサービス種別情報が示すサービス種別と、サービス種別毎の優先順位を特定する。カード表示制御部２０３は、サービス種別毎に所定の個数の推薦番組、推薦ＶＯＤコンテンツ又は対応コンテンツを示す画像を表示部２２２に表示させる。そのために、カード表示制御部２０３は、それぞれの画像に係る画像データとして推薦番組表示情報、推薦ＶＯＤコンテンツ表示情報又は対応コンテンツ情報に含まれる画像データを、表示部２２２に出力する。
【００６４】
カード表示制御部２０３は、原則として優先順位が高い推薦番組、推薦ＶＯＤコンテンツ又は対応コンテンツほど高くなるように、それぞれのサービス種別毎の表示順位を定める。そして、カード表示制御部２０３は、入力部２２３からのカード切替を示す操作信号が入力される毎に、出力対象の推薦番組、推薦ＶＯＤコンテンツ又は対応コンテンツの情報を表す画像データを、次の表示順位の推薦番組、推薦ＶＯＤコンテンツ又は対応コンテンツの情報を表す画像データに順次切り替える。
【００６５】
機能制御部２０４は、押下された画像に係る推薦番組、推薦ＶＯＤコンテンツ又は対応コンテンツの受信サービスを実現するための処理を、サービス種別情報が示すサービス種別に対応する機能部に実行させる。サービス種別情報は、上述したように推薦番組表示情報、推薦ＶＯＤコンテンツ表示情報又は対応コンテンツ表示情報に含まれる。押下とは、現実に押下されることの他、入力部２２３から入力されるその画像、又はその画像の表示領域内の位置が操作信号で指示されるという意味を含む。
【００６６】
機能制御部２０４は、例えば、サービス種別として放送について、押下された画像に係る番組の受信情報と起動指示を選局機能部２１１に出力する。推薦番組表示情報には、受信情報として放送チャンネルの情報が含まれる。これにより、選局機能部２１１は、選局処理（後述）の実行を開始する。
機能制御部２０４は、サービス種別として予約について、押下された画像に係る番組の受信情報と起動指示を予約機能部２１２に出力する。推薦番組表示情報には、受信情報として放送チャンネルならびに放送時間の情報が含まれる。これにより、予約機能部２１２は、予約処理（後述）の実行を開始する。
機能制御部２０４は、サービス種別としてＶＯＤについて、押下された画像に係るＶＯＤコンテンツ又は対応コンテンツの受信情報と起動指示をＶＯＤ機能部２１３に出力する。ＶＯＤコンテンツ表示情報又は対応コンテンツ表示情報には、受信情報としてＵＲＬなどの取得先情報が含まれる。ＶＯＤ機能部２１３は、機能制御部２０４から起動指示が入力されるときＶＯＤ受信処理（後述）の実行を開始する。
【００６７】
なお、機能制御部２０４は、入力部２２３からの操作信号で指示される操作を示す操作情報を所定時間毎に集積して操作履歴を生成してもよい。機能制御部２０４は、操作情報に、カード表示制御部２０３が表示させ、操作により選択された画像に係るコンテンツの情報を含めてもよい。操作情報には、例えば、そのコンテンツのサービス種別を示すサービス種別情報、そのコンテンツの識別情報、選択された時刻などの情報が含まれる。コンテンツの識別情報は、例えば、推薦番組のタイトルＩＤ、個別番組のストーリーＩＤもしくはＶＯＤコンテンツのＶＯＤコンテンツＩＤなどが該当する。つまり、操作情報には、サービス対象のコンテンツの識別情報とサービス種別情報が含まれる。機能制御部２０４は、生成した操作履歴を履歴集積サーバ５に通信部２３１を介して送信する。
【００６８】
選局機能部２１１は、機能制御部２０４から起動指示が入力されるとき、選局処理を実行する。より具体的には、選局機能部２１１は、機能制御部２０４から入力される受信情報から放送チャネルを特定する。選局機能部２１１は、放送受信部２３２に対して特定した放送チャンネルに対応する周波数帯域の放送信号を受信させる。選局機能部２１１は、放送受信部２３２が受信した放送信号から映像データを分離し、分離した映像データを表示部２２２に出力する。
【００６９】
予約機能部２１２は、機能制御部２０４から起動指示が入力されるとき、予約処理を実行する。予約処理とは、その番組の受信予約に係る処理である。より具体的には、予約機能部２１２は、機能制御部２０４から入力される受信情報からチャンネル、放送開始時刻及び放送終了時刻を特定する。予約機能部２１２は、所定の予約画面を表示部２２２に表示させる。予約画面には、例えば、その推薦番組のタイトル名、チャンネル及び放送時間と録画予約を示すメッセージが含まれる。予約機能部２１２は、現時刻が放送開始時刻に達したとき、放送受信部２３２に対して特定したチャンネルに対応する周波数帯域の放送信号の受信を開始させる。予約機能部２１２は、放送受信部２３２が受信した放送信号から映像データを分離し、分離した映像データを記憶する。予約機能部２１２は、現時刻が放送終了時刻に達したとき、放送受信部２３２に対して放送信号の受信を終了させる。受信終了に伴い、予約機能部２１２は、映像データの記憶を停止する。このとき、予約機能部２１２は、録画終了画面を表示部２２２に表示させてもよい。録画終了画面には、例えば、その推薦番組のタイトル名、チャンネル及び放送時間と録画終了を示すメッセージが含まれる。予約機能部２１２は、入力部２２３から再生を指示する操作信号が入力されるとき、記憶した映像データを表示部２２２に出力する。これにより、録画された番組の映像が表示される。なお、予約機能部２１２は、録画予約に代えて、もしくは録画予約とともに視聴予約を行ってもよい。視聴予約がなされる場合には、予約機能部２１２は、予約により指定された放送時間内に特定されたチャンネルで受信した放送信号から分離した映像データを表示部２２２に出力する。
【００７０】
なお、選局機能部２１１、予約機能部２１２は、それぞれ受信開始時刻、受信終了時刻を視聴開始時刻、視聴終了時刻として含む選局情報を生成する。選局機能部２１１、予約機能部２１２は、さらに、自装置に設定された機器ＩＤ、受信した番組に係るチャンネルのチャンネル番号もしくは放送局名、放送種区分を選局情報の一部として含めてもよい。選局機能部２１１、予約機能部２１２は、生成した選局情報を履歴集積サーバ５に通信部２３１を介して送信する。
【００７１】
ＶＯＤ機能部２１３は、機能制御部２０４から起動指示が入力されるとき、ＶＯＤ受信処理を実行する。より具体的には、ＶＯＤ機能部２１３は、機能制御部２０４から入力される受信情報から取得先情報を特定する。ＶＯＤ機能部２１３は、特定した取得先情報で指示されるＶＯＤコンテンツサーバ９に通信部２３１を介してＶＯＤコンテンツ要求を送信する。ＶＯＤ機能部２１３は、ＶＯＤコンテンツ要求に対する応答として、ＶＯＤコンテンツサーバ９から取得先情報で指定されるＶＯＤコンテンツデータを受信する。ＶＯＤ機能部２１３は、受信したＶＯＤコンテンツデータに含まれる映像データを表示部２２２に出力する。
【００７２】
なお、ＶＯＤ機能部２１３は、受信開始時刻、受信終了時刻を視聴開始時刻、視聴終了時刻として含むＶＯＤ選択情報を生成する。ＶＯＤ機能部２１３は、さらに、自装置に設定された機器ＩＤ、ＶＯＤコンテンツデータに付随して受信したＶＯＤコンテンツＩＤをＶＯＤ選択情報の一部として含める。ＶＯＤ機能部２１３は、生成したＶＯＤ選択情報を履歴集積サーバ５に通信部２３１を介して送信する。
【００７３】
人物検出部２２１は、受信装置２０の筐体表面に設置され、自部から所定範囲内（例えば、１ｍ）に所在する人物を検出する。人物検出部２２１は、例えば、人感センサを含んで構成される。人物検出部２２１は、人物を検出するとき、その検出を示す検出信号を生成する。人物検出部２２１は、生成した検出信号をカード表示機能・起動部２０２に出力する。
【００７４】
表示部２２２は、カード表示制御部２０３から入力される画像データに基づく画像を表示する。また、表示部２２２は、選局機能部２１１、ＶＯＤ機能部２１３からそれぞれ入力される映像データに基づく映像を表示する。表示部２２２は、例えば、液晶ディスプレイ、有機ＥＬ（Ｅｌｅｃｔｒｏ−Ｌｕｍｉｎｅｓｃｅｎｃｅ）ディスプレイ、などを含んで構成される。
【００７５】
入力部２２３は、ユーザの操作に応じて作成された操作信号を取得し、取得した操作信号をカード表示機能・起動部２０２に出力する。入力部２２３は、例えば、制御装置（リモートコントローラ、以下、リモコンと呼ぶ）から操作信号を受信する赤外線インタフェースを含んでもよいし、ユーザの操作に応じて操作信号を作成するボタン等の専用の部材、タッチセンサ等の汎用の部材を含んでもよい。操作されるボタンや指示される位置に応じて、操作による指示内容が区別される。
【００７６】
通信部２３１は、ネットワークＮＷに接続される機器との間で、各種のデータを送受信する。通信部２３１は、例えば、通信インタフェースである。
放送受信部２３２は、放送事業者の放送設備から送信される放送信号を選局機能部２１１又は予約機能部２１２から指示されるチャンネルに応じた周波数帯域で受信する。放送受信部２３２は、例えば、チューナである。
【００７７】
（判定データ）
次に、本実施形態に係る判定データの一例について説明する。
判定データは、シリーズ番組の視聴パターン毎に視聴されなかった個別番組に係る対応コンテンツ表示情報の出力の要否と、その優先度を示すデータである。
図３は、本実施形態に係る判定データの一例を示す図である。図３に示す例では、判定データは、種別、カウント、最終視聴日時、カード生成の各項目を含み、それらを対応付けて構成される。個別番組は、１週間毎に放送されることが仮定されている。種別とは、視聴パターンを示す。種別Ａ−Ｇは、それぞれ、図４に例示される各３回の個別番組の視聴の有無を示す視聴パターンである。例えば、種別Ａは、図４の第２行に示すように、その時点から前々々週、前々週、前週に放送された個別番組のいずれも視聴されたことを示す。カウントとは、各３回の個別番組のうち、視聴された個別番組の回数である。例えば、種別Ｂのカウントの２とは、過去３回の個別番組のうち、前々々週、前週に放送された個別番組がそれぞれ視聴されたことによる。最終視聴日時は、その時点までに最後に視聴された個別番組の放送終了時刻の区分を示す。最終視聴日時は、１週間未満、１〜２週間、２〜３週間、と個別番組が放送される周期である１週間毎に区分される。例えば、種別Ｃの１週間未満とは、前週に放送された個別番組が視聴されたことを示す。カード生成は、対応コンテンツ表示情報の出力の要否と、その優先度を示す優先度情報を示す。−印、○印、◎印は、それぞれ対応コンテンツ表示情報を出力しないこと、対応コンテンツのスコア値に依存して対応コンテンツ表示情報の出力の要否と優先順位を定めること、対応コンテンツ表示情報を出力すること、をそれぞれ示す。そのうち、◎印は、３段階の優先度のうち最優先であることを示す。
【００７８】
種別Ｄについて与えられた◎印は、最後に放送された個別番組について対応コンテンツ表示情報を出力することを示す。種別Ｄの視聴パターンによれば、過去に放送された２回の個別番組がいずれも視聴されたことから、ユーザがそのシリーズ番組に関心があり、最後に放送された個別番組のみを視聴しなかった可能性が高いことによる。最後に放送された個別番組に対応する対応コンテンツを視聴することができれば、ユーザの満足度の向上が期待される。種別Ａに与えられた−印は、対応コンテンツ表示情報を出力しないことを示す。視聴されなかった個別番組が存在しないためである。図３、４に示す例では、いずれの個別番組も視聴されないことを示す視聴パターンが掲げられていないが、見逃し番組判定部１１５は、その視聴パターンについて対応コンテンツ表示情報を出力しないと判定する。
【００７９】
また、図３に示す例では、カウントが１である種別Ｅ−Ｇのうち、種別Ｅ、Ｇについて−印が与えられ、種別Ｆについて○印が与えられている。種別Ｅ、Ｇでは、個別番組が２回連続して視聴されなかったため、種別Ｆのように間欠的に視聴されない場合よりも、そのシリーズ番組に対する関心が低いと推認されるためである。
【００８０】
図５は、本実施形態に係る判定データの他の例を示す図である。
図５に例示する判定データでは、カウントが１である種別Ｅ、Ｇについて○印が与えられている点で、図３に例示する判定データと異なる。その他の点は、図３に例示される判定データと共通である。図５に例示する判定データは、少なくとも１回でも視聴された個別番組が存在するシリーズ番組について視聴されなかった個別番組に係る対応コンテンツ表示情報が出力されることを示す。
【００８１】
なお、図３、図５に示す例では、種別Ｂ、Ｃ、Ｆのいずれも〇印が与えられているが、種別Ｂ、Ｃ、Ｆ間において、その順に優先度が低くてもよい。つまり、シリーズ番組のうち１回でも視聴された個別番組が存在する視聴パターンについて、視聴された個別番組の頻度が高い視聴パターンほど優先度が高く、最後に視聴された個別番組の放送終了からの期間が短い視聴パターンほど優先度が高くてもよい。視聴された個別番組の頻度が高いシリーズ番組ほどユーザの関心が高く、個別番組の放送終了からの期間が短い個別番組ほどユーザの記憶に残っていると推認される。そのような個別番組が視聴されていないとき、その個別番組に係る対応コンテンツを視聴できるようにすることで、ユーザの満足度が向上することが期待される。
【００８２】
図３の種別Ｆ、図５の種別Ｅ−Ｇに示すように、視聴されなかった未視聴番組は同一のシリーズ番組において複数回存在することがありうる。視聴されなかった未視聴番組が複数存在する場合には、見逃し番組判定部１１５は、例えば、複数の未視聴番組のうち放送終了からの期間が最も短い１個の未視聴番組を、対応コンテンツの表示情報の出力対象として特定してもよい。このような未視聴番組ほど、ユーザの記憶に残っている可能性が高いため、その未視聴番組に係る対応コンテンツを視聴できるようにすることで、ユーザの満足度の向上が期待される。
未視聴番組が複数個存在する事象は、シリーズ番組間でも生じうる。見逃し番組判定部１１５は、複数の未視聴番組のうち、次に放送される個別番組の放送開始日時までの、その時点からの期間が短い個別番組に係る対応コンテンツ表示情報ほど優先度を高くしてもよい。対応コンテンツの配信期間が、次の個別番組の放送開始日時を基準に終了する場合には、次の個別番組の放送開始日時までの期間が短いほど、視聴されなかった未視聴番組と同一の対応コンテンツを受信できる期間が短い。受信できる期間が短い対応コンテンツに係る対応コンテンツ表示情報ほど優先して出力されるため、その対応コンテンツの受信が促される。また、見逃し番組判定部１１５は、既にＶＯＤコンテンツデータを受信したＶＯＤコンテンツと同一の対応コンテンツの対応コンテンツ表示情報については、出力しないと判定してもよい。
【００８３】
また、見逃し番組判定部１１５は、複数件の未対応番組間でランダムに優先度を定めてもよい。これにより、同一又は相互に関連する対応コンテンツに関する対応コンテンツ表示情報が出力されることによってユーザに退屈感を与えることが回避される。
【００８４】
（見逃し番組コンテンツリスト）
次に、本実施形態に係る見逃し番組コンテンツリストの一例を示す。図６は、本実施形態に係る見逃し番組コンテンツリストの一例を示す図である。見逃し番組コンテンツリストは、未視聴番組の候補となる一連のシリーズ番組を構成する個別番組と同一の対応コンテンツの対応コンテンツ情報のリストである。図６に示す例では、対応コンテンツ情報は、ＶＯＤコンテンツＩＤ、ＶＯＤタイトル名、番組名、放送局名、放送種区分、放送曜日、放送開始時間、放送終了時間及びジャンルを含み、それらを対応付けて構成される。番組名、放送局名、放送種区分、放送曜日、放送開始時間、放送終了時間は、その対応コンテンツと同一の個別番組の番組名、放送局名、放送種区分、放送曜日、放送開始時間、放送終了時間を示す。なお、対応コンテンツ情報には、その対応コンテンツの配信期間（配信開始日時、配信終了日時）、対応コンテンツデータの取得元のＵＲＬが含まれてもよい。
【００８５】
（ユーザ情報）
次に、本実施形態に係るユーザ情報の一例を示す。ユーザ情報は、各ユーザの属性を含む情報である。図７は、本実施形態に係るユーザ情報の一例を示す図である。ユーザ情報は、ユーザＩＤ、機器ＩＤ、地域、性別、年齢層及び嗜好情報を含み、それらを対応付けて構成される。ユーザＩＤは、個々のユーザを識別する情報である。機器ＩＤは、個々の受信装置２０を識別する情報である。地域は、受信装置２０の使用地域である。この地域は、対応コンテンツと個別番組との対応付けがなされる地域のうちのいずれかを示す。性別、年齢層は、ユーザの性別、年齢層である。嗜好情報は、そのユーザに嗜好されるコンテンツのジャンルを示す。地域、性別、年齢層、嗜好情報のいずれか又はその組は、ユーザ毎に行われる推薦番組、推薦ＶＯＤコンテンツの選択の際に参照されることがある。図７に示す例では、ユーザＩＤは、機器ＩＤと一意に対応付けられているが、テレビジョン受信機３、ＳＴＢ１１ならびに携帯端末装置１２の任意の２個の機器もしくは全てすべての機器それぞれの機器ＩＤと対応付けられてもよい。また、ユーザ情報において、各ユーザの属性、例えば、性別、年齢層、嗜好情報がさらにユーザＩＤと対応付けられてもよい。
【００８６】
（番組情報）
次に、本実施形態に係る番組情報の一例を示す。図８は、本実施形態に係る個別番組の番組情報の一例を示す図である。番組情報は、タイトルＩＤ、ストーリーＩＤ、番組名、放送開始日時、放送終了日時、放送局名、放送種区分及びジャンルを含み、それらを対応付けて構成される。タイトルＩＤは、個別番組を構成するシリーズ番組を識別する情報である。ストーリーＩＤは、個別番組を識別する情報である。番組名は、個別番組を構成するシリーズ番組のタイトル名である。放送開始日時、放送終了日時は、それぞれ個別番組の放送開始日時、放送終了日時を示す。放送局名、放送種区分、ジャンルは、それぞれ個別番組を放送する放送局の放送局名、放送種区分、個別番組のジャンルを示す。例えば、タイトルＩＤがＤＴＶ００２である番組Ｅは、放送開始日時が２０１６年５月１５日２１時、２０１６年５月２２日２１時、２０１６年５月２９日２１時である個別番組からなるシリーズ番組である。番組Ｅの放送局名、放送種区分、ジャンルは、それぞれＵＧＴＶ、地上Ｄ、ドラマである。各個別番組は、１週間毎に放送され、それぞれストーリーＩＤ００５、００６、００７で区別される。タイトルＩＤがＤＴＶ００４である番組Ｃは、放送開始日時が２０１６年５月１９日２３時５９分、２０１６年５月２６日２３時５９分、２０１６年６月２日２３時５９分である個別番組からなるシリーズ番組である。番組Ｃの放送局名、放送種区分、ジャンルは、それぞれＨＭＴＶ、地上Ｄ、ドラマである。各個別番組は、１週間毎に放送され、それぞれストーリーＩＤ００５、００６、００７で区別される。
【００８７】
フィルタリング処理部１１４は、図６に例示される見逃し番組コンテンツリストに含まれる対応コンテンツ情報を参照して、個別番組に対応する対応コンテンツを特定する。例えば、番組名が番組Ｅであり、放送開始日時が２０１６年５月２９日２１時であり、放送局名がＵＧＴＶである個別番組は、ＶＯＤタイトル名がＶＯＤ  Ｂである対応コンテンツと対応付けられる。また、番組名が番組Ｃであり、放送開始日時が２０１６年５月２６日２３時５９分であり、放送局名がＨＭＴＶである個別番組は、ＶＯＤタイトル名がＶＯＤ  Ｄである対応コンテンツと対応付けられる。
【００８８】
（動作例）
次に、本実施形態に係る受信装置２０の動作例について説明する。図９は、本実施形態に係る番組視聴履歴の一例を示す。図９に示す例では、番組視聴履歴は、ユーザＡの受信装置２０の選局機能部２１１からの選局情報を集積して形成される。図９に示す番組視聴履歴を参照して、見逃し番組判定部１１５は、ユーザＡの受信装置２０が受信したシリーズ番組の視聴パターンを判定する。見逃し番組判定部１１５は、番組Ｅの個別番組のうち、その時点から３回前（前々々回）、２回前（前々回）に放送された個別番組が視聴され、前回放送された個別番組が視聴されていないと判定する。見逃し番組判定部１１５は、図３に示す判定データを参照して、この視聴パターンを種別Ｄと判定し、前回に放送された個別番組に対応する対応コンテンツの対応コンテンツ表示情報を最優先で出力すると判定する。カード編成部１２１は、その対応コンテンツの優先順位を最優先と定め、推薦ＶＯＤコンテンツの一部として選択する。受信装置２０のカード表示制御部２０３は、この対応コンテンツの情報を示す画像データを表示部２２２に出力する。表示部２２２には、この対応コンテンツの情報を示すカード型の画像が表示される。
【００８９】
次に、表示部２２２に表示されるカード型画像の表示例について説明する。図１０は、本実施形態に係るカード型画像の一表示例Ｄ１を示す図である。表示部２２２の表示領域には、推薦コンテンツの情報を表す画像として３個のカード型の画像Ｃｄ０１−Ｃｄ０３と、対応コンテンツの情報を表す画像として１個のカード型の画像Ｃｄ０４が表示されている。画像Ｃｄ０１−Ｃｄ０４は、表示領域の中段において、左方から右方に配列されている。
【００９０】
画像Ｃｄ０１、Ｃｄ０２は、それぞれ推薦番組を表す放送カード、推薦番組を表す予約カードである。画像Ｃｄ０３は、推薦ＶＯＤコンテンツを表すＶＯＤカードである。画像Ｃｄ０４は、対応コンテンツであるＶＯＤ  Ｂを表すＶＯＤカードである。画像Ｃｄ０４の下部には、タイトル名として対応する個別番組の番組名（番組Ｅ）、ジャンルとしてドラマ及び属性として個別番組の放送局名（ＵＧＴＶ）の情報が表されている。また、画像Ｃｄ０４の上部には「見逃しドラマ」との文字が表され、画像Ｃｄ０３とは異なる背景色が付される。そのため、画像Ｃｄ０４を視認したユーザは、画像Ｃｄ０４に係るコンテンツが未視聴番組に対応する対応コンテンツであることを直ちに識別することができる。
【００９１】
次に、コンテンツのサービス種別毎のカード型画像と受信装置２０が実行する処理との関連について説明する。放送カードは、受信対象の番組についての選局処理を表す画像である。つまり、放送カードが指示されるとき、機能制御部２０４は、指示された画像に係る番組について選局機能部２１１に選局処理を実行させる。予約カードは、受信対象の番組についての予約処理を表す画像である。つまり、予約カードが指示されるとき、機能制御部２０４は、指示された画像に係る番組について予約機能部２１２に予約処理を実行させる。ＶＯＤカードは、受信対象のＶＯＤコンテンツについてのＶＯＤ受信処理を表す画像である。つまり、ＶＯＤカードが指示されるとき、機能制御部２０４は、指示された画像に係るＶＯＤコンテンツ又は対応コンテンツについてＶＯＤ機能部２１３にＶＯＤ受信処理を実行させる。
【００９２】
また、表示部２２２の表示領域の左下端から所定範囲内には上方から下方に向けてボタンＢｔ０１、Ｂｔ０２、Ｂｔ０３がその順序で配列されている。ボタンＢｔ０１は、指示される毎に受信装置２０の機能の停止と起動とを指示するためのボタンである。ボタンＢｔ０２は、指示されることにより次の表示順位のコンテンツの情報を表す画像の表示を指示するためのボタンである。カード表示制御部２０３には、ボタンＢｔ０２への指示に応じて切替を示す操作信号が入力される。ボタンＢｔ０３は、指示されることによりメニュー画面を表示するためのボタンである。メニュー画面には、例えば、各種の設定画面、使用方法の案内画面などが含まれる。
【００９３】
画像への押下の検知は、表示部２２２の表示領域の表面又は裏面に装着されたタッチセンサ（図示せず）からの操作信号によりなされてもよいし、リモコン（図示せず）からの操作信号によりなされてもよい。一例としてカーソル移動ボタン群と選択ボタンとを有するリモコンが用いられてもよい。カーソル移動ボタン群には、押下により上下左右の各方向へのカーソル移動を指示する操作信号を作成するための４個のボタンが含まれる。機能制御部２０４は、その時点において指示されている表示領域上の位置を示すカーソルを表示部２２２に表示させ、リモコンから入力部２２３を介して入力される操作信号が指示する方向にカーソルを移動させる。選択ボタンは、押下によりカーソルが表されている位置を指示する操作信号を生成するためのボタンである。機能制御部２０４は、入力される操作信号が指示される位置に表示されている画像に係る処理を行う。なお、リモコンは、図１０に示す画像Ｃｄ０１−Ｃｄ０４のそれぞれに対応した各１個のボタンを備えてもよい。ボタンの色は、対応する画像の背景色と同じであってもよい。リモコンは、ボタンの押下に応じて対応する画像を示す操作信号を生成する。これにより、ユーザは、背景色と同じ色のボタンを押下することで、その画像に示される推薦コンテンツを、受信サービスを受けようとするコンテンツとして容易に選択することができる。
【００９４】
次に、本実施形態に係る受信装置２０の他の動作例について説明する。図１１は、本実施形態に係る番組視聴履歴の他の例を示す。図１１に示す例では、番組視聴履歴は、ユーザＢの受信装置２０の選局機能部２１１からの選局情報を集積して形成される。見逃し番組判定部１１５は、図１１に示す番組視聴履歴を参照して、番組Ｃの個別番組のうち、その時点から３回前（前々々回）、前回に放送された個別番組が視聴され、２回前（前々回）放送された個別番組が視聴されていないと判定する。見逃し番組判定部１１５は、図３に示す判定データを参照して、この視聴パターンを種別Ｂと判定し、前々回に放送された個別番組に対応する対応コンテンツの対応コンテンツ表示情報をそのスコアに応じて出力すると判定する。見逃し番組判定部１１５は、その対応コンテンツのスコアを算出する。カード編成部１２１は、算出したスコアに基づいて、その対応コンテンツの優先順位を定め、優先順位が所定の順位よりも高いとき推薦ＶＯＤコンテンツの一部として、その対応コンテンツを選択する。受信装置２０のカード表示制御部２０３は、この対応コンテンツの情報をカード編成部１２１が定めた優先順位に従って表示部２２２に出力する。表示部２２２には、この対応コンテンツの情報を示すカード型の画像が表示される。
【００９５】
次に、表示部２２２に表示されるカード型画像の他の表示例について説明する。図１２は、本実施形態に係るカード型画像の他の表示例Ｄ２を示す図である。表示部２２２の表示領域には、推薦コンテンツの情報を表す画像として３個のカード型の画像Ｃｄ１１−Ｃｄ１３と、対応コンテンツの情報を表す画像として１個のカード型の画像Ｃｄ１４が表示されている。画像Ｃｄ１１−Ｃｄ１４は、表示領域の中段において、左方から右方に配列されている。
【００９６】
画像Ｃｄ１１、Ｃｄ１２は、それぞれ推薦番組を表す放送カード、推薦番組を表す予約カードである。画像Ｃｄ１３は、推薦ＶＯＤコンテンツを表すＶＯＤカードである。画像Ｃｄ１４は、対応コンテンツであるＶＯＤ  Ｄを表すＶＯＤカードである。画像Ｃｄ１４の下部には、タイトル名として対応する個別番組の番組名（番組Ｃ）、ジャンルとしてドラマ及び属性として個別番組の放送局名（ＨＭＴＶ）の情報が表されている。また、画像Ｃｄ１４の上部には「見逃しドラマ」との文字が表されている。画像Ｃｄ１４は、必ずしも最優先で表示されない場合がある。その場合には、ボタンＢｔ０２の操作により、より優先順位が低い対応コンテンツに係る画像Ｃｄ１４が表示される。
【００９７】
以上に説明したように、本実施形態に係るレコメンドサーバ１は、受信装置２０が受信した番組を示す番組履歴情報を取得する履歴情報取得部１０２と、通信で送信されるＶＯＤコンテンツのコンテンツ情報を取得するＶＯＤコンテンツ情報取得部１０４とを備える。レコメンドサーバ１は、所定の期間毎に放送される個別番組からなるシリーズ番組から、番組履歴情報に基づいて視聴されなかった未視聴番組と、その未視聴番組に対応するＶＯＤコンテンツの表示情報である対応コンテンツ表示情報の出力の要否を判定する見逃し番組判定部１１５を備える。
本実施形態に係る受信装置２０は、レコメンドサーバ１から推薦番組の表示情報である推薦番組表示情報と、所定の期間毎に放送される個別番組からなるシリーズ番組のうち視聴されなかった未視聴番組に対応する対応コンテンツの表示情報である対応コンテンツ表示情報を受信する通信部２３１を備える。受信装置２０は、放送される番組を受信する選局機能部２１１と、通信で送信されるＶＯＤ機能部２１３とを備える。そして、受信装置２０は、推薦番組表示情報と、対応コンテンツ表示情報を表示部２２２に出力し、選局機能部２１１に推薦番組表示情報への指示に応じて推薦番組を受信させるカード表示制御部２０３と、ＶＯＤ機能部２１３に対応コンテンツ表示情報への指示に応じて対応コンテンツを受信させる機能制御部２０４を備える。そして、通信部２３１は、選局機能部２１１が受信した番組を示す履歴情報をレコメンドサーバ１に送信する。
【００９８】
この構成により、シリーズ番組のうち視聴されなかった未視聴番組に対応する対応コンテンツの対応コンテンツ表示情報がレコメンドサーバ１から提供される。そして、表示部２２２に表示された対応コンテンツの情報への指示に応じて、ＶＯＤ機能部２１３は、指示された対応コンテンツを受信する。受信装置２０のユーザが希望するにも関わらず、視聴しなかった未視聴番組に対応する対応コンテンツの提供が促されるので、ユーザの満足感を向上させることができる。
【００９９】
また、見逃し番組判定部１１５は、個別番組の受信頻度が高いシリーズ番組の未視聴番組ほど優先して対応コンテンツ表示情報を出力すると判定する。
この構成により、受信装置２０のユーザによる関心が高いシリーズ番組ほど、その未視聴番組に対応する対応コンテンツの情報が優先して出力される。未視聴番組に対応し、優先して提供される対応コンテンツ表示情報への指示に応じて、その対応コンテンツが提供されるので、ユーザの満足感を向上させることができる。
【０１００】
また、見逃し番組判定部１１５は、放送終了からの期間が短い未視聴番組ほど優先して対応コンテンツ表示情報を出力すると判定する。
この構成により、放送終了からの期間が短いために受信装置２０のユーザに意識されている未視聴番組ほど、その未視聴番組に対応する対応コンテンツの情報が優先して出力される。未視聴番組に対応し、優先的に提供される対応コンテンツ表示情報への指示に応じて、その対応コンテンツが提供されるので、ユーザの満足感を向上させることができる。
【０１０１】
（第２の実施形態）
次に、本発明の第２の実施形態について説明する。第１の実施形態と同一の構成については、同一の符号を付して、その説明を援用する。以下の説明では、主に第１の実施形態との差異点について説明する。
本実施形態に係るレコメンドサーバ１の見逃し番組コンテンツ表示情報生成部１１６は、判定対象のシリーズ番組において視聴されなかった未視聴番組が複数個存在する場合には、対応コンテンツ表示情報に含める受信情報として、選択画面ＵＲＬを設定する。視聴されなかった未視聴番組が１個である場合には、見逃し番組コンテンツ表示情報生成部１１６は、第１の実施形態と同様に対応コンテンツ表示情報に含める受信情報として、対応コンテンツのＶＯＤコンテンツデータの取得先を示すＵＲＬを設定する。ＶＯＤコンテンツデータの取得先を示すＵＲＬを、取得先ＵＲＬと呼んで選択画面ＵＲＬと区別することがある。見逃し番組コンテンツ表示情報生成部１１６は、対応する個別番組のストーリーＩＤを含む番組情報において予め設定されている案内画面のＵＲＬを取得先ＵＲＬとして抽出してもよい。また、見逃し番組コンテンツ表示情報生成部１１６は、対応コンテンツの対応コンテンツ情報に予め設定されている取得先ＵＲＬを抽出してもよい。
【０１０２】
選択画面ＵＲＬとは、対応コンテンツ選択画面データ（話数の選択画面）の取得先のＵＲＬである。対応コンテンツ選択画面データは、ネットワークに接続されている外部サーバ３０、例えば、ＶＯＤコンテンツサーバ９に格納される。対応コンテンツ選択画面データが示す対応コンテンツ選択画面は、一連のシリーズコンテンツに含まれる個々の対応コンテンツの選択ボタンを複数個含む。個々の選択ボタンには、対応コンテンツの対応コンテンツ表示情報の取得先を示すＵＲＬと対応付けられている。見逃し番組コンテンツ表示情報生成部１１６は、対応する個別番組に係るシリーズ番組のタイトルＩＤを含む番組情報に予め設定されている案内画面のＵＲＬを選択画面ＵＲＬとして抽出してもよい。また、見逃し番組コンテンツ表示情報生成部１１６は、対応コンテンツの対応コンテンツ情報に予め設定されている取得先ＵＲＬを抽出してもよい。
【０１０３】
受信装置２０の機能制御部２０４は、押下された画像に係る対応コンテンツの受信情報として、対応コンテンツ表示情報に含まれる受信情報から選択画面ＵＲＬを抽出する。機能制御部２０４は、抽出した選択画面ＵＲＬで指定される取得先のＶＯＤコンテンツサーバ９に通信部２３１を介して、対応コンテンツ選択画面データの要求信号を送信する。機能制御部２０４は、その応答としてＶＯＤコンテンツサーバ９から対応コンテンツ選択画面データを受信し、受信した対応コンテンツ選択画面データを表示部２２２に出力する。表示部２２２には、対応コンテンツ選択画面が表示される。機能制御部２０４は、対応コンテンツ選択画面に含まれる複数の選択ボタンのうち、押下された選択ボタンに係る対応コンテンツの対応コンテンツ表示情報の取得先情報であるＵＲＬを取得する。機能制御部２０４は、その対応コンテンツ表示情報の要求信号を取得したＵＲＬで指定されるＶＯＤコンテンツサーバ９に通信部２３１を介して送信する。機能制御部２０４は、その応答として、取得したＵＲＬで指定される対応コンテンツ表示情報をＶＯＤコンテンツサーバ９から受信する。
【０１０４】
カード表示制御部２０３は、その時点において出力されている対応コンテンツ情報に係る画像データに代えて、機能制御部２０４がＶＯＤコンテンツサーバ９から受信した対応コンテンツ表示情報に含まれる画像データを表示部２２２に出力する。表示部２２２には、押下された選択ボタンに係る対応コンテンツの情報を示すカード型の画像が新たに表示される。そのため、新たに表示される画像への押下により指定された選択ボタンに係る対応コンテンツについてＶＯＤ受信処理の実行が開始される。
【０１０５】
なお、上述した構成は、対応コンテンツのＶＯＤコンテンツデータの提供が無償である場合を例にしたが、これには限られない。対応コンテンツの提供は、有償であってもよい。その場合、機能制御部２０４は、画像の押下の検出後、ＶＯＤ受信処理を実行する前に、購入選択ボタンを示す購入選択ボタンデータを表示部２２２に出力する。表示部２２２には購入選択ボタンが表示される。購入選択ボタンデータには、その対応コンテンツの決済処理を行う決済サーバ（図示せず）のＵＲＬと対価情報が付加されている。購入選択ボタンが押下されるとき、機能制御部２０４は、購入選択ボタンデータに付加したＵＲＬと対価情報を抽出する。機能制御部２０４は、抽出した対価情報に基づく決済要求を示す決済要求指示を、付加されたＵＲＬで指示される決済サーバに通信部１３１を介して送信する。決済サーバから決済完了を示す決済完了通知を受信するとき、機能制御部２０４は、上述したＶＯＤ受信処理をＶＯＤ機能部２１３に開始させる。
【０１０６】
（動作例）
次に、本実施形態に係る受信装置の動作例について説明する。次の説明では、受信装置２０が、番組Ｃのうち前々々回、前回放送された個別番組が視聴されず、前々回放送された個別番組が視聴されたことを仮定する。その場合、見逃し番組判定部１１５は、受信装置２０の視聴パターンを種別Ｆと判定する。見逃し番組判定部１１５は、視聴されなかった未視聴番組のうち、放送終了からその時点までの期間が最も短い前回放送された個別番組を特定する。見逃し番組コンテンツ表示情報生成部１１６は、特定した個別番組に対応する対応コンテンツの対応コンテンツ表示情報に含める受信情報として、選択画面ＵＲＬを設定する。受信装置２０のカード表示制御部２０３は、前回放送された個別番組に対応する対応コンテンツの情報を示す画像の画像データを表示部２２２に出力する。表示部２２２には、その対応コンテンツの情報を示す画像が表示される。
【０１０７】
図１３（ａ）は、本実施形態に係るカード型画像の表示例Ｄ３を示す図である。表示例Ｄ３には、画像Ｃｄ２４として対応コンテンツのＶＯＤカードが表示される。画像Ｃｄ２４のＶＯＤ  Ｄは、その対応コンテンツのシリーズコンテンツのタイトルである。画像Ｃｄ２４の下部に表示される「番組Ｃ  第３話」との文字列は、画像Ｃｄ２４に係る対応コンテンツが前々回放送された番組Ｃの個別番組に対応する第３話であることを示す。機能制御部２０４は、画像Ｃｄ２４への押下を検出するとき、その対応コンテンツ表示情報に含まれる選択画面ＵＲＬを抽出し、抽出した選択画面ＵＲＬで指定されるＶＯＤコンテンツサーバ９からＶＯＤ  Ｄの対応コンテンツ選択画面データを取得する。機能制御部２０４は、対応コンテンツ選択画面データを表示部２２２に出力することにより、シリーズＶＯＤ  Ｄの対応コンテンツ選択画面を表示させる。
【０１０８】
図１３（ｂ）は、本実施形態に係る対応コンテンツ選択画面の表示例Ｄ４を示す図である。表示例Ｄ４は、ＶＯＤ  Ｄの対応コンテンツ選択画面である。図１３（ｂ）では、図示が省略されているが、ＶＯＤ  Ｄの対応コンテンツ選択画面には、その時点においてＶＯＤコンテンツデータが送信可能な対応コンテンツとして第１話〜第４話の選択ボタンが表示される。従って、ユーザは、シリーズコンテンツのうち有効な対応コンテンツのいずれかを任意に選択することができる。第１話の選択ボタンが押下される場合、機能制御部２０４は、押下された選択ボタンに係る第１話のＵＲＬを取得する。機能制御部２０４は、その対応コンテンツ表示情報の要求信号を取得したＵＲＬで指定されるＶＯＤコンテンツサーバ９に通信部２３１を介して送信する。機能制御部２０４は、その応答として、ＶＯＤコンテンツサーバ９からＵＲＬで指定される第１話の対応コンテンツ表示情報を受信する。カード表示制御部２０３は、受信した対応コンテンツ表示情報に含まれるＶＯＤ  Ｄの第１話の情報を示す画像の画像データを表示部２２２に出力する。表示部２２２には、ＶＯＤ  Ｄを示す画像が表示される。
【０１０９】
図１３（ｃ）は、本実施形態に係るカード型画像の表示例Ｄ５を示す図である。表示例Ｄ５には、画像Ｃｄ３４として対応コンテンツのＶＯＤカードが表示される。画像Ｃｄ３４のＶＯＤ  Ｄは、その対応コンテンツのシリーズコンテンツのタイトルである。画像Ｃｄ３４の下部に表示される「番組Ｃ  第１話」との文字列は、画像Ｃｄ３４に係る対応コンテンツが、選択ボタンが押下された番組Ｃの第１話に対応する対応コンテンツであることを示す。なお、図１３（ａ）に示す画像Ｃｄ２１〜Ｃｄ２３、図１３（ｃ）に示す画像Ｃｄ３１〜Ｃｄ３３は、それぞれ図１２に示す画像Ｃｄ１１〜Ｃｄ１３と同様であるため、その説明を省略した。
【０１１０】
なお、上述では、対応コンテンツ選択画面に、各対応コンテンツに対応する選択ボタンが含まれる場合を例にしたが、視聴されていない複数の未視聴番組と同一の内容をいずれも含むＶＯＤコンテンツに対応する選択ボタンが含まれていればよい。そのようなＶＯＤコンテンツは、例えば、放送開始からその時点までに放送された個別番組の内容を集積した１個の集積コンテンツ（総集編）であってもよい。これにより、提示された未視聴番組とは、別個の視聴されていない未視聴番組に対応する対応コンテンツのＶＯＤコンテンツデータが受信可能となる。
【０１１１】
以上に説明したように、本実施形態に係るレコメンドサーバ１の見逃し番組コンテンツ表示情報生成部１１６は、対応コンテンツ表示情報を出力するシリーズ番組に視聴されていない未視聴番組が複数存在するとき、そのシリーズ番組の各個別番組に対応する対応コンテンツの選択情報に係る選択情報として選択画面ＵＲＬを、対応コンテンツ表示情報に付加する。受信装置２０の機能制御部２０４は、表示部２２２に表示された対応コンテンツの情報への指示に応じてシリーズ番組の各個別番組に対応する選択情報として選択ボタンを示す対応コンテンツ選択画面データを表示部２２２に出力する。機能制御部２０４は、指示された選択情報に係る対応コンテンツを選択する。
この構成により、受信装置２０において視聴されなかった未視聴番組が複数存在する場合で、受信装置２０のユーザは未視聴番組のそれぞれに対応する対応コンテンツのいずれかを任意に選択することができる。そのため、一律に特定の対応コンテンツが提供される場合よりも、ユーザの満足感を向上させることができる。
【０１１２】
（第３の実施形態）
次に、本発明の第３の実施形態について説明する。上述した実施形態と同一の構成については、同一の符号を付して、その説明を援用する。以下の説明では、主に上述した実施形態との差異点について説明する。
【０１１３】
レコメンドサーバ１の履歴情報取得部１０２は、さらに履歴集積サーバ５から所定期間（例えば、１日）毎に受信装置２０の機器ＩＤ毎の操作履歴を、通信部１３１を介して取得する。履歴情報取得部１０２は、ユーザ情報取得部１０１が取得したユーザ情報を参照して、機器ＩＤ毎の操作履歴をそれぞれ対応するユーザＩＤ毎に集約し、ユーザＩＤ毎の操作履歴を形成する。履歴情報取得部１０２は、形成した操作履歴を推薦コンテンツ情報生成部１１０に出力する。
【０１１４】
見逃し番組判定部１１５は、履歴情報取得部１０２からユーザＩＤ毎の操作履歴が入力される。操作履歴は、受信装置２０において操作情報には、提供されるサービス対象のコンテンツの識別情報とサービス種別情報が含まれる。見逃し番組判定部１１５は、操作履歴を参照して、判定対象のシリーズ番組に属するいずれかの個別番組に関するコンテンツの受信サービス、特に放送以外の受信サービスが提供されたか否かを判定する。見逃し番組判定部１１５は、その受信サービスとして、例えば、判定対象のシリーズ番組に属するいずれかの個別番組に対応する対応コンテンツが受信されたか否か（ＶＯＤ）、又は、そのシリーズ番組に属する放送予定のいずれかの個別番組について受信予約がなされたか否か（予約）を判定する。見逃し番組判定部１１５は、提供されたと判定する場合、判定対象のシリーズ番組に属する視聴されていない未視聴番組に対応する対応コンテンツについて対応コンテンツ表示情報を生成すると判定する。この判定は、図３に例示される判定データにおいて、視聴パターンが未視聴の個別番組が各２回含まれる種別Ｅ、種別Ｇに相当する場合において、−印（出力否）に代え、○印（出力）で示される対応コンテンツ表示情報を生成するとの判定に相当する。そこで、見逃し番組判定部１１５は、対応コンテンツ表示情報の生成の要否に用いる判定データを図３に示す判定データから図５に示す判定データに変更してもよい。
【０１１５】
従って、受信装置２０において判定対象のシリーズ番組に関するコンテンツの画像の押下により指示されたコンテンツの受信サービスが提供される場合には、そのシリーズ番組に属する未視聴番組に対応する対応コンテンツの画像が表示部２２２に表示される。そのため、ユーザが視聴する意思を有すると判定されるシリーズ番組に属する未視聴番組の内容を視聴する機会が確保される。なお、判定対象のシリーズ番組に属するいずれかの個別番組に関するコンテンツの受信サービスが提供されていないと判定するとき、見逃し番組判定部１１５は、対応コンテンツ表示情報の生成の要否を判定する際、図３に示す判定データを継続して利用する。
【０１１６】
以上に説明したように、本実施形態に係る見逃し番組判定部１１５は、受信装置２０がシリーズ番組のいずれかの個別番組に関連するコンテンツの受信サービスを提供したとき、そのシリーズ番組の未視聴番組に対応する対応コンテンツ表示情報を出力すると判定する。
受信装置２０には個別番組の視聴に対するユーザの意思が、その個別番組に関連するコンテンツの受信サービスの提供の指示より表示される。そのため、その個別番組を含むシリーズ番組の未視聴番組が、ユーザの関心があるにも関わらず視聴されなかった番組として的確に判定される。その未視聴番組に対応する対応コンテンツ表示情報への指示に応じて、その対応コンテンツが提供されるので、より確実にユーザの満足感を向上させることができる。
【０１１７】
また、見逃し番組判定部１１５は、受信装置２０がシリーズ番組のいずれかの個別番組に関連するコンテンツの受信サービスを提供したと判定するとき、そのシリーズ番組の未視聴番組に対応する対応コンテンツ表示情報の要否判定に用いる判定データとして、未視聴番組に対応する対応コンテンツ表示情報の出力否の指示を含む判定データを、その対応コンテンツ表示情報の出力を示す判定データに切り替える。
判定データの切り替えにより、見逃し番組判定部１１５は、ユーザが関心を有するシリーズ番組の未視聴番組について対応コンテンツ表示情報を出力するとの判定を、処理を複雑にせずに的確に行うことができる。
【０１１８】
以上、図面を参照してこの発明の一実施形態について詳しく説明してきたが、具体的な構成は上述のものに限られることはなく、この発明の要旨を逸脱しない範囲内において様々な設計変更等をすることが可能である。例えば、上述の実施形態において説明した各構成は、任意に組み合わせることができる。
【０１１９】
上述の実施形態では、処理対象のコンテンツが主に番組及びＶＯＤコンテンツである場合を例にしたが、これには限られない。その他の種別のコンテンツが処理対象になってもよい。例えば、番組とは異なる種別のコンテンツとしてＶＯＤコンテンツの他、ネットワークＮＷを介して送受信可能な電子広告、その他の各種の案内情報が処理対象になってもよい。
【０１２０】
また、受信装置２０の人物検出部２２１と表示部２２２の一方又は両方は、受信装置２０のその他の部分との間で各種のデータが送受信可能であれば、別体であってもよい。表示部２２２に表示される画像の形状は、カード型に限られない。その形状は、例えば、ボタン型、サムネイル型などであってもよい。また、それらの画像の数やサービス種別による内訳は、任意に設定可能である。
【０１２１】
なお、上述した実施形態におけるレコメンドサーバ１及び受信装置２０の一部、をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、レコメンドサーバ１又は受信装置２０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
また、上述した実施形態におけるレコメンドサーバ１及び受信装置２０の一部、又は全部を、ＬＳＩ（Ｌａｒｇｅ  Ｓｃａｌｅ  Ｉｎｔｅｇｒａｔｉｏｎ）等の集積回路として実現してもよい。レコメンドサーバ１及び受信装置２０の各機能ブロックは個別にプロセッサ化してもよいし、一部又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【０１２２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１２３】
１…レコメンドサーバ、２…カード生成サーバ、３…テレビジョン受信機、４…ユーザ管理サーバ、５…履歴集積サーバ、６…番組集積サーバ、７…ＶＯＤコンテンツ集積サーバ、８…ランキングサーバ、９…ＶＯＤコンテンツサーバ、１０…配信サーバ、１１…ＳＴＢ、１２…携帯端末装置、２０…受信装置、３０…外部サーバ、１０１…ユーザ情報取得部、１０２…履歴情報取得部、１０３…番組情報取得部、１０４…ＶＯＤコンテンツ情報取得部、１０５…ＣＰ指定コンテンツ情報取得部、１０６…ランキング情報取得部、１１０…推薦コンテンツ情報生成部、１１１…推薦番組表示情報生成部、１１２…推薦ＶＯＤコンテンツ表示情報生成部、１１３…見逃し番組コンテンツリスト取得部、１１４…フィルタリング処理部、１１５…見逃し番組判定部、１１６…見逃し番組コンテンツ表示情報生成部、１２１…カード編成部、１２２…カード登録部、１３１…通信部、２０１…カード取得部、２０２…カード表示機能・起動部、２０３…カード表示制御部、２０４…機能制御部、２１１…選局機能部、２１２…予約機能部、２１３…ＶＯＤ機能部、２２１…人物検出部、２２２…表示部、２２３…入力部、２３１…通信部、２３２…放送受信部
【図１】
2018011186.tif 000003
【図２】
2018011186.tif 000004
【図３】
2018011186.tif 000005
【図４】
2018011186.tif 000006
【図５】
2018011186.tif 000007
【図６】
2018011186.tif 000008
【図７】
2018011186.tif 000009
【図８】
2018011186.tif 000010
【図９】
2018011186.tif 000011
【図１０】
2018011186.tif 000012
【図１１】
2018011186.tif 000013
【図１２】
2018011186.tif 000014
【図１３】
2018011186.tif 000015